(57)【要約】  本発明の実施形態は、ＵＥコンテキスト情報を再開する方法、デバイス、及びシステムを提供する。方法は、移動管理エンティティ（ＭＭＥ）によって、基地局が送信したＵＥコンテキスト再開要求メッセージを受信することと、ＭＭＥによって、ＵＥコンテキスト再開要求メッセージに対応するＵＥコンテキストを再開することと、ＵＥコンテキスト情報の再開に失敗したと判定した場合、ＭＭＥによって、ＵＥコンテキスト情報再開の失敗を基地局に通知することとを含む。本発明の実施形態は、基地局がＵＥコンテキスト情報の再開の失敗を判定できない問題を解決し、ＵＥコンテキスト情報の再開の失敗を基地局に通知する効果を有する。【選択図】図３
2019508958.tif 000002
【特許請求の範囲】
【請求項１】
ユーザ機器（ＵＥ）コンテキスト再開方法であって、
移動管理エンティティ（ＭＭＥ）によって、基地局が送信したＵＥコンテキスト再開要求メッセージを受信することと、
前記ＭＭＥによって、前記ＵＥコンテキスト再開要求メッセージに対応するＵＥコンテキストを再開することと、
前記ＵＥコンテキスト再開に失敗した場合、前記ＭＭＥによって、前記ＵＥコンテキスト再開の失敗を前記基地局に通知することとを含む方法。
【請求項２】
請求項１に記載の方法において、
前記ＭＭＥによって前記ＵＥコンテキスト再開の失敗を前記基地局に通知することは、
前記ＭＭＥによって、第１のＵＥコンテキスト再開応答メッセージを前記基地局に送信することであって、前記第１のＵＥコンテキスト再開応答メッセージは、前記ＵＥコンテキスト再開の失敗を前記基地局に通知するために使用されること、又は
前記ＭＭＥによって、ＵＥコンテキスト再開失敗メッセージを前記基地局に送信することであって、前記ＵＥコンテキスト再開失敗メッセージは、前記ＵＥコンテキスト再開の失敗を前記基地局に通知するために使用されること、又は
前記ＭＭＥによって、ＭＭＥ  ＵＥ  Ｓ１  ＡＰ  ＩＤメッセージを搬送しない第１のメッセージを基地局に送信することであって、前記第１のメッセージは、前記ＵＥコンテキスト再開の失敗を前記基地局に通知するために使用されること、又は
前記ＭＭＥによって、第２のＵＥコンテキスト再開応答メッセージを前記基地局に送信することであって、前記第２のＵＥコンテキスト再開応答メッセージは、前記ＵＥコンテキスト再開要求メッセージに対応するＵＥのＥ−ＵＴＲＡＮ無線アクセスベアラ（Ｅ−ＲＡＢ）再開の失敗を示すために使用され、前記第２のＵＥコンテキスト再開応答メッセージは、１又は複数の再開失敗Ｅ−ＲＡＢ  ＩＤ及び／又は再開失敗Ｅ−ＲＡＢ  ＩＤに対応する再開の失敗原因値を搬送すること、又は
前記ＭＭＥによって、エラー指示メッセージを前記基地局に送信することであって、前記エラー指示メッセージは、前記ＵＥコンテキスト再開において発生したエラーを前記基地局に通知するために使用されることを含む方法。
【請求項３】
請求項２に記載の方法において、
前記ＭＭＥによって、前記第１のＵＥコンテキスト再開応答メッセージを前記基地局に送信することは、
前記ＭＭＥによって、ＵＥコンテキスト解放指示を搬送する前記第１のＵＥコンテキスト再開応答メッセージを前記基地局に送信することを含み、前記ＵＥコンテキスト解放指示は、前記ＵＥコンテキストを解放することを前記基地局に指示するために使用される方法。
【請求項４】
請求項１乃至３のいずれかに記載の方法において、
前記ＭＭＥによって前記ＵＥコンテキスト再開の失敗を前記基地局に通知することは、
前記ＭＭＥによって、前記ＵＥコンテキスト再開の失敗原因値を搬送する第２のメッセージを前記基地局に送信することを含み、前記第２のメッセージは、前記ＵＥコンテキスト再開の失敗を前記基地局に通知するために使用され、前記ＵＥコンテキスト再開の失敗原因値は、前記ＵＥコンテキスト再開の失敗の原因を示すために使用される方法。
【請求項５】
請求項４に記載の方法において、
前記ＵＥコンテキスト再開の失敗原因値は、未知のＵＥコンテキスト、ＵＥリソース再開失敗、及びＭＭＥ処理異常の何れか１つを含む方法。
【請求項６】
請求項１に記載の方法において、
前記ＵＥコンテキスト再開の失敗を前記基地局に通知した後、前記ＭＭＥによって、ＵＥコンテキスト解放命令メッセージを前記基地局に送信することを更に含み、前記ＵＥコンテキスト解放命令メッセージは、前記基地局と前記ＭＭＥとの間のＳ１インタフェースのリソースを解放することを前記基地局に指示するために使用される方法。
【請求項７】
請求項６に記載の方法において、
前記ＵＥコンテキスト解放命令メッセージを前記基地局に送信する前に、前記ＭＭＥによって、前記基地局が送信したＵＥコンテキスト解放要求メッセージを受信することを更に含む方法。
【請求項８】
ユーザ機器（ＵＥ）コンテキスト再開方法であって、
基地局によって、前記基地局に対応する移動管理エンティティ（ＭＭＥ）にＵＥコンテキスト再開要求メッセージを送信することであって、前記ＵＥコンテキスト再開要求メッセージは、前記ＭＭＥに、前記ＵＥコンテキスト再開要求メッセージに対応するＵＥコンテキストを再開することを指示するために使用されることと、
前記基地局によって、前記ＭＭＥが送信した通知を取得することであって、前記通知は、前記ＵＥコンテキスト再開の失敗を示すために使用されることと、
前記基地局によって、前記通知の指示に基づいて、前記ＵＥコンテキスト再開の失敗を判定することとを含む方法。
【請求項９】
請求項８に記載の方法において、
前記基地局によって、前記ＭＭＥが送信した通知を取得することは、
前記基地局によって、前記ＭＭＥが送信した第１のＵＥコンテキスト再開応答メッセージを受信することであって、前記第１のＵＥコンテキスト再開応答メッセージは、前記ＵＥコンテキスト再開の失敗を前記基地局に通知するために使用されること、又は
前記基地局によって、前記ＭＭＥが送信したＵＥコンテキスト再開失敗メッセージを受信することであって、前記ＵＥコンテキスト再開失敗メッセージは、前記ＵＥコンテキスト再開の失敗を前記基地局に通知するために使用されること、又は
前記基地局によって、前記ＭＭＥが送信した、ＭＭＥ  ＵＥ  Ｓ１  ＡＰ  ＩＤメッセージを搬送しない第１のメッセージを受信することとであって、前記第１のメッセージは、前記ＵＥコンテキスト再開の失敗を前記基地局に通知するために使用されること、又は
前記基地局によって、前記ＭＭＥが送信した第２のＵＥコンテキスト再開応答メッセージを受信することであって、前記第２のＵＥコンテキスト再開応答メッセージは、前記ＵＥコンテキスト再開要求メッセージに対応するＵＥのＥ−ＵＴＲＡＮ無線アクセスベアラ（Ｅ−ＲＡＢ）再開の失敗を示すために使用され、前記第２のＵＥコンテキスト再開応答メッセージは、１又は複数の再開失敗Ｅ−ＲＡＢ  ＩＤ及び／又は再開失敗Ｅ−ＲＡＢ  ＩＤに対応する再開の失敗原因値を搬送すること、又は
前記基地局によって、前記ＭＭＥが送信したエラー指示メッセージを受信することであって、前記エラー指示メッセージは、前記ＵＥコンテキスト再開において発生したエラーを前記基地局に通知するために使用されることを含む方法。
【請求項１０】
請求項９に記載の方法において、
前記基地局によって、前記ＭＭＥが送信した前記第１のＵＥコンテキスト再開応答メッセージを受信することは、
前記基地局によって、前記ＭＭＥが送信した、ＵＥコンテキスト解放指示を搬送する前記第１のＵＥコンテキスト再開応答メッセージを受信することを含み、前記ＵＥコンテキスト解放指示は、前記ＵＥコンテキストを解放することを前記基地局に指示するために使用される方法。
【請求項１１】
請求項８乃至１０のいずれかに記載の方法において、
前記基地局によって、ＭＭＥが送信した通知を取得することは、
前記基地局によって、前記ＭＭＥが送信した第２のメッセージを受信することを含み、前記第２のメッセージは、前記ＵＥコンテキスト再開の失敗原因値を搬送し、前記ＵＥコンテキスト再開の失敗を基地局に通知するために使用され、前記ＵＥコンテキスト再開の失敗原因値は、前記ＵＥコンテキスト再開の失敗の原因を示すために使用される方法。
【請求項１２】
請求項１１に記載の方法において、
前記ＵＥコンテキスト再開の失敗原因値は、未知のＵＥコンテキスト、ＵＥリソース再開失敗、及びＭＭＥ処理異常の何れか１つを含む方法。
【請求項１３】
請求項８乃至１０のいずれかに記載の方法において、
前記通知の指示に基づいて、前記ＵＥコンテキスト再開が失敗したと前記基地局が判定した後、前記基地局によって、前記ＵＥコンテキスト再開要求メッセージに対応するＵＥに、エアインタフェースを解放する、又はエアインタフェースを再構築することを知らせることを更に含む方法。
【請求項１４】
請求項８乃至１０のいずれかに記載の方法において、
前記通知の指示に基づいて、前記ＵＥコンテキスト再開が失敗したと前記基地局が判定した後、前記基地局によって、前記ＭＭＥが送信したＵＥコンテキスト解放命令メッセージを受信することと、
前記基地局によって、前記ＵＥコンテキスト解放命令メッセージの指示に基づいて、前記基地局と前記ＭＭＥとの間のＳ１インタフェースのリソースを解放することとを更に含む方法。
【請求項１５】
請求項１４に記載の方法において、
前記ＭＭＥが送信した前記ＵＥコンテキスト解放命令メッセージを前記基地局が受信する前に、前記基地局によって、前記ＭＭＥにＵＥコンテキスト解放要求メッセージを送信することを更に含む方法。
【請求項１６】
移動管理エンティティ（ＭＭＥ）において使用されるユーザ機器（ＵＥ）コンテキストを再開するためのデバイスであって、
基地局が送信したＵＥコンテキスト再開要求メッセージを受信するように構成された第１の受信モジュールと、
前記ＵＥコンテキスト再開要求メッセージに対応する前記ＵＥコンテキストを再開するように構成された再開モジュールと、
前記ＵＥコンテキスト再開に失敗した場合、前記ＵＥコンテキスト再開の失敗を前記基地局に通知するように構成された第１の通知モジュールとを備えるデバイス。
【請求項１７】
請求項１６に記載のデバイスにおいて、
前記第１の通知モジュールは、
第１のＵＥコンテキスト再開応答メッセージを前記基地局に送信し、前記第１のＵＥコンテキスト再開応答メッセージは、前記ＵＥコンテキスト再開の失敗を前記基地局に通知するために使用され、又は
ＵＥコンテキスト再開失敗メッセージを前記基地局に送信し、前記ＵＥコンテキスト再開失敗メッセージは、ＵＥコンテキスト再開の失敗を基地局に通知するために使用され、又は
ＭＭＥ  ＵＥ  Ｓ１  ＡＰ  ＩＤメッセージを搬送しない第１のメッセージを前記基地局に送信し、前記第１のメッセージは、前記ＵＥコンテキスト再開の失敗を前記基地局に通知するために使用され、又は
第２のＵＥコンテキスト再開応答メッセージを前記基地局に送信し、前記第２のＵＥコンテキスト再開応答メッセージは、前記ＵＥコンテキスト再開要求メッセージに対応するＵＥのＥ−ＵＴＲＡＮ無線アクセスベアラ（Ｅ−ＲＡＢ）再開の失敗を示すために使用され、前記第２のＵＥコンテキスト再開応答メッセージは、１又は複数の再開失敗Ｅ−ＲＡＢ  ＩＤ及び／又は再開失敗Ｅ−ＲＡＢ  ＩＤに対応する再開の失敗原因値を搬送し、又は
エラー指示メッセージを前記基地局に送信し、前記エラー指示メッセージは、前記ＵＥコンテキスト再開において発生したエラーを前記基地局に通知するために使用されるように構成されているデバイス。
【請求項１８】
請求項１７に記載のデバイスにおいて、
前記第１の通知モジュールは、ＵＥコンテキスト解放指示を搬送する前記第１のＵＥコンテキスト再開応答メッセージを前記基地局に送信するように構成され、前記ＵＥコンテキスト解放指示は、前記ＵＥコンテキストを解放することを前記基地局に指示するために使用されるデバイス。
【請求項１９】
請求項１６乃至１８のいずれかに記載のデバイスにおいて、
前記第１の通知モジュールは、前記ＵＥコンテキスト再開の失敗原因値を搬送する第２のメッセージを前記基地局に送信するように構成され、前記第２のメッセージは、前記ＵＥコンテキスト再開の失敗を前記基地局に通知するために使用され、前記ＵＥコンテキスト再開の失敗原因値は、前記ＵＥコンテキスト再開の失敗の原因を示すために使用されるデバイス。
【請求項２０】
請求項１９に記載のデバイスにおいて、
前記ＵＥコンテキスト再開の失敗原因値は、未知のＵＥコンテキスト、ＵＥリソース再開失敗、及びＭＭＥ処理異常の何れか１つを含むデバイス。
【請求項２１】
請求項１６に記載のデバイスにおいて、
ＵＥコンテキスト解放命令メッセージを前記基地局に送信するように構成された第１の送信モジュールを更に備え、前記ＵＥコンテキスト解放命令メッセージは、前記基地局と前記ＭＭＥとの間のＳ１インタフェースのリソースを解放することを前記基地局に指示するために使用されるデバイス。
【請求項２２】
請求項２１に記載のデバイスにおいて、
前記基地局が送信したＵＥコンテキスト解放要求メッセージを受信するように構成された第２の受信モジュールを更に備えるデバイス。
【請求項２３】
基地局において使用されるユーザ機器（ＵＥ）コンテキストを再開するためのデバイスであって、
前記基地局に対応する移動管理エンティティ（ＭＭＥ）にＵＥコンテキスト再開要求メッセージを送信するように構成され、前記ＵＥコンテキスト再開要求メッセージは、前記ＭＭＥに、前記ＵＥコンテキスト再開要求メッセージに対応するＵＥコンテキストを再開することを指示するために使用される第２の送信モジュールと、
前記ＭＭＥが送信した通知を取得するように構成され、前記通知は、前記ＵＥコンテキスト再開の失敗を示すために使用される取得モジュールと、
前記通知の指示に基づいて前記ＵＥコンテキスト再開の失敗を判定する判定モジュールとを備えるデバイス。
【請求項２４】
請求項２３に記載のデバイスにおいて、
前記取得モジュールは、
前記ＭＭＥが送信した第１のＵＥコンテキスト再開応答メッセージを受信するように構成され、前記第１のＵＥコンテキスト再開応答メッセージは、前記ＵＥコンテキスト再開の失敗を前記基地局に通知するために使用され、又は
前記ＭＭＥが送信したＵＥコンテキスト再開失敗メッセージを受信するように構成され、前記ＵＥコンテキスト再開失敗メッセージは、前記ＵＥコンテキスト再開の失敗を前記基地局に通知するために使用され、又は
前記ＭＭＥが送信した、ＭＭＥ  ＵＥ  Ｓ１  ＡＰ  ＩＤメッセージを搬送しない第１のメッセージを受信するように構成され、前記第１のメッセージは、前記ＵＥコンテキスト再開の失敗を前記基地局に通知するために使用され、又は
前記ＭＭＥが送信した第２のＵＥコンテキスト再開応答メッセージを受信するように構成され、前記第２のＵＥコンテキスト再開応答メッセージは、前記ＵＥコンテキスト再開要求メッセージに対応するＵＥのＥ−ＵＴＲＡＮ無線アクセスベアラ（Ｅ−ＲＡＢ）再開の失敗を示すために使用され、前記第２のＵＥコンテキスト再開応答メッセージは、１又は複数の再開失敗Ｅ−ＲＡＢ  ＩＤ及び／又は再開失敗Ｅ−ＲＡＢ  ＩＤに対応する再開の失敗原因値を搬送し、又は
前記ＭＭＥが送信したエラー指示メッセージを受信するように構成され、前記エラー指示メッセージは、前記ＵＥコンテキスト再開において発生したエラーを前記基地局に通知するために使用されるデバイス。
【請求項２５】
請求項２４に記載のデバイスにおいて、
前記取得モジュールは、前記ＭＭＥが送信した前記第１のＵＥコンテキスト再開応答メッセージを受信するように構成され、前記第１のＵＥコンテキスト再開応答メッセージは、ＵＥコンテキスト解放指示を搬送し、前記ＵＥコンテキスト解放指示は、前記ＵＥコンテキストを解放することを前記基地局に指示するために使用されるデバイス。
【請求項２６】
請求項２３乃至２５のいずれかに記載のデバイスにおいて、
前記取得モジュールは、前記ＭＭＥが送信した第２のメッセージを受信するように構成され、前記第２のメッセージは、ＵＥコンテキスト再開の失敗原因値を搬送し、前記ＵＥコンテキスト再開の失敗を前記基地局に通知するために使用され、前記ＵＥコンテキスト再開の失敗原因値は、前記ＵＥコンテキスト再開の失敗の原因を示すために使用されるデバイス。
【請求項２７】
請求項２６に記載のデバイスにおいて、
前記ＵＥコンテキスト再開の失敗原因値は、未知のＵＥコンテキスト、ＵＥリソース再開失敗、及びＭＭＥ処理異常の何れか１つを含むデバイス。
【請求項２８】
請求項２３乃至２５のいずれかに記載のデバイスにおいて、
前記ＵＥコンテキスト再開要求メッセージに対応するＵＥに、エアインタフェースを解放する、又はエアインタフェースを再構築することを知らせるように構成された第２の通知モジュールを更に備えるデバイス。
【請求項２９】
請求項２３乃至２５のいずれかに記載のデバイスにおいて、
前記ＭＭＥが送信したＵＥコンテキスト解放命令メッセージを受信するように構成された第３の受信モジュールと、
前記ＵＥコンテキスト解放命令メッセージの指示に基づいて、前記基地局と前記ＭＭＥとの間のＳ１インタフェースのリソースを解放するように構成された解放モジュールとを更に備えるデバイス。
【請求項３０】
請求項２９に記載のデバイスにおいて、
前記ＭＭＥにＵＥコンテキスト解放要求メッセージを送信するように構成された第３の送信モジュールを更に備えるデバイス。
【請求項３１】
ユーザ機器（ＵＥ）コンテキストを再開するシステムであって、
請求項１６乃至２２のいずれかに記載のＵＥコンテキストを再開するためのデバイスと、
請求項２３乃至３０のいずれかに記載のＵＥコンテキストを再開するためのデバイスとを備えるシステム。
【発明の詳細な説明】
【技術分野】
【０００１】
本開示は、通信技術に関し、詳しくは、ユーザ機器（ＵＥ）コンテキスト再開方法、デバイス、及びシステムに関する。
【背景技術】
【０００２】
ＮＢ−ＩｏＴ（Narrow Band-Internet of Things）は、主に屋内のカバレッジを改善するためのモノのインターネット（Internet of Things：ＩｏＴ）通信システムの一種である。ＮＢ−ＩｏＴは、カバレッジが広く、複数の接続が可能であり、速度が低く、コストが低く、消費電力が小さい等の多くの特徴を有する。
【０００３】
大量のユーザボリュームと低スループットの要件を満たすために、ＮＢ−ＩｏＴシステムにおけるデータ送信は、制御プレーンモード（Control Plane Mode）及びユーザプレーンモード（User Plane Mode）の２つのモードを含むことができる。制御プレーンモードでは、シグナリングの非アクセスストラタムプロトコルデータユニット（Non-Access Stratum Protocol Data Unit：ＮＡＳＰＤＵ）を介して、アップリンクデータ及びダウンリンクデータが送信される。ＵＥがネットワークにアクセスすると、データ無線ベアラ（Data Radio Bearer：ＤＲＢ）の代わりに信号無線ベアラ（Signal Radio Bearer：ＳＲＢ）のみが確立される。ユーザプレーンモードでは、アップリンクデータ及びダウンリンクデータは、従来のＤＲＢユーザプレーンを介して送信される。ＵＥがネットワークにアクセスすると、ＳＲＢとＤＲＢの両方が確立される。
【０００４】
ユーザプレーンモードでは、無線インタフェースのシグナリングを節約し、ＵＥの高速アクセスの目的を達成するために、コンテキストサスペンド（context suspend）とコンテキスト再開（context resume）のメカニズムが導入されている。すなわち、ＵＥと移動管理エンティティ（Mobility Management Entity：ＭＭＥ）がアップリンクデータ伝送及びダウンリンクデータ伝送を完了すると、基地局（例えば、ｅＮＢ）及びＭＭＥにおいてコンテキストサスペンドのメカニズムを採用して、ＵＥのアクセスストラタム（Access Stratum：ＡＳ）コンテキストを中断できる。その後、ＵＥとＭＭＥとの間のデータ伝送が必要であれば、再開手順（Resume procedure）によって、ＵＥのエアインタフェース（Ｕｕ）及びＳ１インタフェースを介した接続が迅速に再開される。
【０００５】
再開手順は、無線インタフェースにおける無線リソース制御再開（RRC Resume）のインタラクションフローと、Ｓ１インタフェースにおけるＵＥコンテキスト再開のインタラクションフローとを含むことができる。図１は、従来技術によるＵＥコンテキスト再開成功の手順を示すフローチャートである。図１に示すように、ｅＮＢが送信したＵＥコンテキスト再開要求メッセージを受信すると、コアネットワーク（すなわち、ＭＭＥ）は、まず、そのメッセージに含まれているＵＥ  ＩＤに基づいて、ＵＥコンテキストを探索する必要がある。ＭＭＥがＵＥコンテキストの発見に成功すると、再開手順は、正常に完了する。ＭＭＥがＵＥコンテキストを発見できない又は他の異常が発生した場合、再開手順は、失敗する。この場合の異常処理は、既存の規格では完全ではない。通常、ＭＭＥは、まず、ＵＥコンテキスト再開応答メッセージをｅＮＢに返信する必要があり、次に、コンテキスト削除処理を実行する。図２は、従来技術に基づくＵＥコンテキスト再開失敗手順を示すフローチャートである。図２に示すように、ｅＮＢは、ＭＭＥによって応答されたＵＥコンテキスト再開応答メッセージを受信した時点で再開手順が失敗したことを知ることができず、ＭＭＥから解放命令を受信したとき、その解放が再開手順の失敗によってトリガされたことも知ることができない。
【０００６】
現在のところ、関連する先行技術において、基地局がＵＥコンテキスト再開の失敗を知ることができない問題の有効な解決策は確立されていない。
【発明の概要】
【発明が解決しようとする課題】
【０００７】
本開示の実施形態は、先行技術における、基地局がＵＥコンテキスト再開手順の失敗を知ることができない問題を少なくとも解決するために、ユーザ機器（User Equipment：ＵＥ）コンテキストを再開する方法、デバイス、及びシステムを提供する。
【課題を解決するための手段】
【０００８】
本開示の一側面に基づくＵＥコンテキスト再開方法は、移動管理エンティティ（Mobility Management Entity：ＭＭＥ）によって、基地局が送信したＵＥコンテキスト再開要求メッセージを受信することと、ＭＭＥによって、ＵＥコンテキスト再開要求メッセージに対応するＵＥコンテキストを再開することと、ＵＥコンテキスト再開手順に失敗した場合、ＭＭＥによって、ＵＥコンテキスト再開手順の失敗を基地局に通知することとを含む。
【０００９】
オプションとして、ＭＭＥによってＵＥコンテキスト再開手順の失敗を基地局に通知することは、ＭＭＥによって、第１のＵＥコンテキスト再開応答メッセージを基地局に送信することであって、第１のＵＥコンテキスト再開応答メッセージは、ＵＥコンテキスト再開手順の失敗を基地局に通知するために使用されること、又はＭＭＥによって、ＵＥコンテキスト再開失敗メッセージを基地局に送信することであって、ＵＥコンテキスト再開失敗メッセージは、ＵＥコンテキスト再開手順の失敗を基地局に通知するために使用されること、又はＭＭＥによって、ＭＭＥ  ＵＥ  Ｓ１  ＡＰ  ＩＤメッセージを搬送しない第１のメッセージを基地局に送信することであって、第１のメッセージは、ＵＥコンテキスト再開手順の失敗を基地局に通知するために使用されること、又はＭＭＥによって、第２のＵＥコンテキスト再開応答メッセージを基地局に送信することであって、第２のＵＥコンテキスト再開応答メッセージは、ＵＥコンテキスト再開要求メッセージに対応するＵＥのＥ−ＵＴＲＡＮ無線アクセスベアラ（E-UTRAN-Radio Access Bearer：Ｅ−ＲＡＢ）再開手順の失敗を示すために使用され、第２のＵＥコンテキスト再開応答メッセージは、１又は複数の再開失敗Ｅ−ＲＡＢ  ＩＤ及び／又は再開失敗Ｅ−ＲＡＢ  ＩＤに対応する再開の失敗原因値を搬送すること、又はＭＭＥによって、エラー指示メッセージを基地局に送信することであって、エラー指示メッセージは、ＵＥコンテキスト再開手順において発生したエラーを基地局に通知するために使用されることを含む。
【００１０】
オプションとして、ＭＭＥによって、第１のＵＥコンテキスト再開応答メッセージを基地局に送信することは、ＭＭＥによって、ＵＥコンテキスト解放指示を搬送する第１のＵＥコンテキスト再開応答メッセージを基地局に送信することを含み、ＵＥコンテキスト解放指示は、ＵＥコンテキストを解放することを基地局に指示するために使用される。
【００１１】
オプションとして、ＭＭＥによってＵＥコンテキスト再開手順の失敗を基地局に通知することは、ＭＭＥによって、ＵＥコンテキスト再開手順の失敗原因値を搬送する第２のメッセージを基地局に送信することを含み、第２のメッセージは、ＵＥコンテキスト再開手順の失敗を基地局に通知するために使用され、ＵＥコンテキスト再開手順の失敗原因値は、ＵＥコンテキスト再開手順の失敗の原因を示すために使用される。
【００１２】
オプションとして、ＵＥコンテキスト再開手順の失敗原因値は、未知のＵＥコンテキスト、ＵＥリソース再開失敗、及びＭＭＥ処理異常の何れか１つを含む。
【００１３】
オプションとして、この方法は、ＵＥコンテキスト再開手順の失敗を基地局に通知した後、ＭＭＥによって、ＵＥコンテキスト解放命令メッセージを基地局に送信することを更に含み、ＵＥコンテキスト解放命令メッセージは、基地局とＭＭＥとの間のＳ１インタフェースのリソースを解放することを基地局に指示するために使用される。
【００１４】
オプションとして、この方法は、ＵＥコンテキスト解放命令メッセージを基地局に送信する前に、ＭＭＥによって、基地局が送信したＵＥコンテキスト解放要求メッセージを受信することを更に含む。
【００１５】
本開示の実施形態の別の側面として提供されるユーザ機器（ＵＥ）コンテキスト再開方法は、基地局によって、基地局に対応する移動管理エンティティ（ＭＭＥ）にＵＥコンテキスト再開要求メッセージを送信することであって、ＵＥコンテキスト再開要求メッセージは、ＭＭＥに、ＵＥコンテキスト再開要求メッセージに対応するＵＥコンテキストを再開することを指示するために使用されることと、基地局によって、ＭＭＥが送信した通知を取得することであって、通知は、ＵＥコンテキスト再開手順の失敗を示すために使用されることと、基地局によって、通知の指示に基づいて、ＵＥコンテキスト再開手順の失敗を判定することとを含む。
【００１６】
オプションとして、基地局によって、ＭＭＥが送信した通知を取得することは、基地局によって、ＭＭＥが送信した第１のＵＥコンテキスト再開応答メッセージを受信することであって、第１のＵＥコンテキスト再開応答メッセージは、ＵＥコンテキスト再開手順の失敗を基地局に通知するために使用されること、又は基地局によって、ＭＭＥが送信したＵＥコンテキスト再開失敗メッセージを受信することであって、ＵＥコンテキスト再開失敗メッセージは、ＵＥコンテキスト再開手順の失敗を基地局に通知するために使用されること、又は基地局によって、ＭＭＥが送信した、ＭＭＥ  ＵＥ  Ｓ１  ＡＰ  ＩＤメッセージを搬送しない第１のメッセージを受信することとであって、第１のメッセージは、ＵＥコンテキスト再開手順の失敗を基地局に通知するために使用されること、又は基地局によって、ＭＭＥが送信した第２のＵＥコンテキスト再開応答メッセージを受信することであって、第２のＵＥコンテキスト再開応答メッセージは、ＵＥコンテキスト再開要求メッセージに対応するＵＥのＥ−ＵＴＲＡＮ無線アクセスベアラ（E-UTRAN-Radio Access Bearer：Ｅ−ＲＡＢ）再開手順の失敗を示すために使用され、第２のＵＥコンテキスト再開応答メッセージは、１又は複数の再開失敗Ｅ−ＲＡＢ  ＩＤ及び／又は再開失敗Ｅ−ＲＡＢ  ＩＤに対応する再開手順の失敗原因値を搬送すること、又は基地局によって、ＭＭＥが送信したエラー指示メッセージを受信することであって、エラー指示メッセージは、ＵＥコンテキスト再開において発生したエラーを基地局に通知するために使用されることを含む。
【００１７】
オプションとして、基地局によって、ＭＭＥが送信した第１のＵＥコンテキスト再開応答メッセージを受信することは、基地局によって、ＭＭＥが送信した、ＵＥコンテキスト解放指示を搬送する第１のＵＥコンテキスト再開応答メッセージを受信することを含み、ＵＥコンテキスト解放指示は、ＵＥコンテキストを解放することを基地局に指示するために使用される。
【００１８】
オプションとして、基地局によって、ＭＭＥが送信した通知を取得することは、基地局によって、ＭＭＥが送信した第２のメッセージを受信することを含み、第２のメッセージは、ＵＥコンテキスト再開手順の失敗原因値を搬送し、ＵＥコンテキスト再開手順の失敗を基地局に通知するために使用され、ＵＥコンテキスト再開手順の失敗原因値は、ＵＥコンテキスト再開手順の失敗の原因を示すために使用される。
【００１９】
オプションとして、ＵＥコンテキスト再開手順の失敗原因値は、未知のＵＥコンテキスト、ＵＥリソース再開失敗、及びＭＭＥ処理異常の何れか１つを含む。
【００２０】
オプションとして、方法は、通知の指示に基づいて、ＵＥコンテキスト再開手順が失敗したと基地局が判定した後、基地局によって、ＵＥコンテキスト再開要求メッセージに対応するＵＥに、エアインタフェースを解放する、又はエアインタフェースを再構築することを知らせることを更に含む。
【００２１】
オプションとして、方法は、通知の指示に基づいて、ＵＥコンテキスト再開手順が失敗したと基地局が判定した後、基地局によって、ＭＭＥが送信したＵＥコンテキスト解放命令メッセージを受信することと、基地局によって、ＵＥコンテキスト解放命令メッセージの指示に基づいて、基地局とＭＭＥとの間のＳ１インタフェースのリソースを解放することとを更に含む。
【００２２】
オプションとして、方法は、ＭＭＥが送信したＵＥコンテキスト解放命令メッセージを基地局が受信する前に、基地局によって、ＭＭＥにＵＥコンテキスト解放要求メッセージを送信することを更に含む。
【００２３】
本開示の実施形態の別の側面に基づくデバイスは、移動管理エンティティ（ＭＭＥ）において使用されるユーザ機器（ＵＥ）コンテキストを再開するためのデバイスであり、基地局が送信したＵＥコンテキスト再開要求メッセージを受信するように構成された第１の受信モジュールと、ＵＥコンテキスト再開要求メッセージに対応するＵＥコンテキストを再開するように構成された再開モジュールと、ＵＥコンテキスト再開手順に失敗した場合、ＵＥコンテキスト再開手順の失敗を基地局に通知するように構成された第１の通知モジュールとを備える。
【００２４】
オプションとして、第１の通知モジュールは、第１のＵＥコンテキスト再開応答メッセージを基地局に送信し、第１のＵＥコンテキスト再開応答メッセージは、ＵＥコンテキスト再開手順の失敗を基地局に通知するために使用され、又はＵＥコンテキスト再開失敗メッセージを基地局に送信し、ＵＥコンテキスト再開失敗メッセージは、ＵＥコンテキスト再開手順の失敗を基地局に通知するために使用され、又はＭＭＥ  ＵＥ  Ｓ１  ＡＰ  ＩＤメッセージを搬送しない第１のメッセージを基地局に送信し、第１のメッセージは、ＵＥコンテキスト再開手順の失敗を基地局に通知するために使用され、又は第２のＵＥコンテキスト再開応答メッセージを基地局に送信し、第２のＵＥコンテキスト再開応答メッセージは、ＵＥコンテキスト再開要求メッセージに対応するＵＥのＥ−ＵＴＲＡＮ無線アクセスベアラ（Ｅ−ＲＡＢ）再開手順の失敗を示すために使用され、第２のＵＥコンテキスト再開応答メッセージは、１又は複数の再開失敗Ｅ−ＲＡＢ  ＩＤ及び／又は再開失敗Ｅ−ＲＡＢ  ＩＤに対応する再開手順の失敗原因値を搬送し、又はエラー指示メッセージを基地局に送信し、エラー指示メッセージは、ＵＥコンテキスト再開において発生したエラーを基地局に通知するために使用されるように構成されている。
【００２５】
オプションとして、第１の通知モジュールは、ＵＥコンテキスト解放指示を搬送する第１のＵＥコンテキスト再開応答メッセージを基地局に送信するように構成され、ＵＥコンテキスト解放指示は、ＵＥコンテキストを解放することを基地局に指示するために使用される。
【００２６】
オプションとして、第１の通知モジュールは、ＵＥコンテキスト再開手順の失敗原因値を搬送する第２のメッセージを基地局に送信するように構成され、第２のメッセージは、ＵＥコンテキスト再開手順の失敗を基地局に通知するために使用され、ＵＥコンテキスト再開手順の失敗原因値は、ＵＥコンテキスト再開手順の失敗の原因を示すために使用される。
【００２７】
オプションとして、ＵＥコンテキスト再開手順の失敗原因値は、未知のＵＥコンテキスト、ＵＥリソース再開失敗、及びＭＭＥ処理異常の何れか１つを含む。
【００２８】
オプションとして、デバイスは、ＵＥコンテキスト解放命令メッセージを基地局に送信するように構成された第１の送信モジュールを更に備え、ＵＥコンテキスト解放命令メッセージは、基地局とＭＭＥとの間のＳ１インタフェースのリソースを解放することを基地局に指示するために使用される。
【００２９】
オプションとして、デバイスは、基地局が送信したＵＥコンテキスト解放要求メッセージを受信するように構成された第２の受信モジュールを更に備える。
【００３０】
本開示の実施形態の別の側面として提供されるデバイスは、基地局において使用され、ユーザ機器（ＵＥ）コンテキストを再開するためのデバイスであって、基地局に対応する移動管理エンティティ（ＭＭＥ）にＵＥコンテキスト再開要求メッセージを送信するように構成され、ＵＥコンテキスト再開要求メッセージは、ＭＭＥに、ＵＥコンテキスト再開要求メッセージに対応するＵＥコンテキストを再開することを指示するために使用される第２の送信モジュールと、ＭＭＥが送信した通知を取得するように構成され、通知は、ＵＥコンテキスト再開手順の失敗を示すために使用される取得モジュールと、通知の指示に基づいてＵＥコンテキスト再開手順の失敗を判定する判定モジュールとを備える。
【００３１】
オプションとして、取得モジュールは、ＭＭＥが送信した第１のＵＥコンテキスト再開応答メッセージを受信するように構成され、第１のＵＥコンテキスト再開応答メッセージは、ＵＥコンテキスト再開手順の失敗を基地局に通知するために使用され、又はＭＭＥが送信したＵＥコンテキスト再開失敗メッセージを受信するように構成され、ＵＥコンテキスト再開失敗メッセージは、ＵＥコンテキスト再開手順の失敗を基地局に通知するために使用され、又はＭＭＥが送信した、ＭＭＥ  ＵＥ  Ｓ１  ＡＰ  ＩＤメッセージを搬送しない第１のメッセージを受信するように構成され、第１のメッセージは、ＵＥコンテキスト再開手順の失敗を基地局に通知するために使用され、又はＭＭＥが送信した第２のＵＥコンテキスト再開応答メッセージを受信するように構成され、第２のＵＥコンテキスト再開応答メッセージは、ＵＥコンテキスト再開要求メッセージに対応するＵＥのＥ−ＵＴＲＡＮ無線アクセスベアラ（Ｅ−ＲＡＢ）再開手順の失敗を示すために使用され、第２のＵＥコンテキスト再開応答メッセージは、１又は複数の再開失敗Ｅ−ＲＡＢ  ＩＤ及び／又は再開失敗Ｅ−ＲＡＢ  ＩＤに対応する再開手順の失敗原因値を搬送し、又はＭＭＥが送信したエラー指示メッセージを受信するように構成され、エラー指示メッセージは、ＵＥコンテキスト再開において発生したエラーを基地局に通知するために使用される。
【００３２】
オプションとして、取得モジュールは、ＭＭＥが送信した第１のＵＥコンテキスト再開応答メッセージを受信するように構成され、第１のＵＥコンテキスト再開応答メッセージは、ＵＥコンテキスト解放指示を搬送し、ＵＥコンテキスト解放指示は、ＵＥコンテキストを解放することを基地局に指示するために使用される。
【００３３】
オプションとして、取得モジュールは、ＭＭＥが送信した第２のメッセージを受信するように構成され、第２のメッセージは、ＵＥコンテキスト再開手順の失敗原因値を搬送し、ＵＥコンテキスト再開手順の失敗を基地局に通知するために使用され、ＵＥコンテキスト再開手順の失敗原因値は、ＵＥコンテキスト再開手順の失敗の原因を示すために使用される。
【００３４】
オプションとして、ＵＥコンテキスト再開手順の失敗原因値は、未知のＵＥコンテキスト、ＵＥリソース再開失敗、及びＭＭＥ処理異常の何れか１つを含む。
【００３５】
オプションとして、デバイスは、ＵＥコンテキスト再開要求メッセージに対応するＵＥに、エアインタフェースを解放する、又はエアインタフェースを再構築することを知らせるように構成された第２の通知モジュールを更に備える。
【００３６】
オプションとして、デバイスは、ＭＭＥが送信したＵＥコンテキスト解放命令メッセージを受信するように構成された第３の受信モジュールと、ＵＥコンテキスト解放命令メッセージの指示に基づいて、基地局とＭＭＥとの間のＳ１インタフェースのリソースを解放するように構成された解放モジュールとを更に備える。
【００３７】
オプションとして、デバイスは、ＭＭＥにＵＥコンテキスト解放要求メッセージを送信するように構成された第３の送信モジュールを更に備える。
【００３８】
本開示の実施形態の別の側面として提供されるシステムは、ＵＥコンテキストを再開するシステムであって、任意の移動管理エンティティ（ＭＭＥ）に適用される上述のＵＥコンテキストを再開するデバイスと、任意の基地局に適用される上述のＵＥコンテキストを再開するためのデバイスとを備える。
【００３９】
本開示の実施形態は、更に、実行命令を格納するコンピュータ記憶媒体を提供する。この実行命令は、上述した実施形態におおけるＵＥコンテキスト再開方法を実行するために使用される。
【発明の効果】
【００４０】
本開示の実施形態によれば、基地局から送信されたＵＥコンテキスト再開要求メッセージをＭＭＥが受信するモードを採用することによって、ＵＥコンテキスト再開要求メッセージに対応するＵＥコンテキストを再開し、ＵＥコンテキスト再開手順が失敗したという状況下では、ＵＥコンテキスト再開手順の失敗を基地局に通知できる。そして、基地局の指示に基づいてＵＥコンテキストを再開することに失敗すると、ＭＭＥは、ＵＥコンテキスト再開失敗メッセージを基地局に直接通知でき、これにより、基地局がＵＥコンテキスト再開手順の失敗を知ることができないという問題を解決でき、基地局がＵＥコンテキスト再開手順の失敗を知ることができるという効果を達成できる。更に、基地局は、ＵＥコンテキスト再開失敗メッセージに基づいてＵＥの無線リソース制御（Radio Resource Control：ＲＲＣ）接続再開要求を直接処理でき、これにより、ＲＲＣ接続再開手順の処理時間を短縮でき、ＲＲＣ接続再開手順の処理効率を向上させることができる。
【００４１】
本明細書で参照する図面は、本開示の更なる理解を提供するために使用され、本開示の一部を構成し、本開示の概略的な実施形態及びその図は、本開示を説明するためのものであり、本開示を不当に限定するためのものではない。
【図面の簡単な説明】
【００４２】
【図１】関連技術によるＵＥコンテキスト再開成功手順を示すフローチャートである。
【図２】関連技術によるＵＥコンテキスト再開失敗手順を示すフローチャートである。
【図３】本開示の一実施形態による、ＵＥコンテキスト再開方法のフローチャートである。
【図４】本開示の別の実施形態による、ＵＥコンテキスト再開方法のフローチャートである。
【図５】本開示の第１の実施形態による、ＵＥコンテキスト再開方法のフローチャートである。
【図６】本開示の第２の実施形態による、ＵＥコンテキスト再開方法のフローチャートである。
【図７】本開示の第３の実施形態による、ＵＥコンテキスト再開方法のフローチャートである。
【図８】本開示の第４の実施形態による、ＵＥコンテキスト再開方法のフローチャートである。
【図９】本開示の第５の実施形態による、ＵＥコンテキスト再開方法のフローチャートである。
【図１０】本開示の一実施形態による、ＵＥコンテキスト再開デバイスの構成を示す概略図である。
【図１１】本発明の他の実施形態による、ＵＥコンテキスト再開デバイスの構成を示す概略図である。
【図１２】本開示の更に別の実施形態による、ＵＥコンテキスト再開デバイスの構造を示す概略図である。
【図１３】本開示の更に別の実施形態による、ＵＥコンテキスト再開デバイスの構造を示す概略図である。
【図１４】本開示の更に別の実施形態による、ＵＥコンテキスト再開デバイスの構造を示す概略図である。
【図１５】本開示の更に別の実施形態による、ＵＥコンテキスト再開デバイスの構造を示す概略図である。
【図１６】本発明の更に他の実施形態による、ＵＥコンテキスト再開デバイスの構造を示す概略図である。
【発明を実施するための形態】
【００４３】
添付の図面及び実施形態を参照して本開示を詳細に説明する。なお、本開示の実施形態及び実施形態における特徴は、矛盾が生じない限り、互いに組み合わせることができる。
【００４４】
また、本開示の明細書、特許請求の範囲及び上記の図面における「第１」及び「第２」等の用語は、類似の対象を区別するためのものであり、特定の順序又は優先順位を記述するのではない。
【００４５】
第１の実施形態
【００４６】
この実施形態では、ＵＥコンテキスト再開方法が提供される。図３は、本開示の一実施形態による、ＵＥコンテキスト再開方法のフローチャートである。図３に示すように、この方法は、以下のステップを含む。
【００４７】
Ｓ３０２において、ＭＭＥは、基地局が送信したＵＥコンテキスト再開要求メッセージを受信する。
【００４８】
Ｓ３０４において、ＭＭＥは、ＵＥコンテキスト再開要求メッセージに対応するＵＥコンテキストを再開する。
【００４９】
Ｓ３０６において、ＵＥコンテキスト再開手順が失敗したという状況下で、ＭＭＥは、ＵＥコンテキスト再開手順の失敗を基地局に通知する。
【００５０】
オプションとして、上記のステップは、リソース再開のシナリオ、具体的には、ＮＢ−ＩＯＴシステムにおけるユーザプレーンモードでのリソース再開のシナリオに適用してもよい。
【００５１】
以上のステップにより、基地局の指示に基づいてＵＥコンテキストを再開することに失敗した場合、ＭＭＥは、ＵＥコンテキスト再開手順の失敗を基地局に直接通知できる。上記のステップを採用することにより、基地局がＵＥコンテキスト再開手順の失敗を知ることができないという問題を解決することができ、基地局がＵＥコンテキスト再開手順の失敗を知ることができるという効果を達成できる。更に、基地局は、ＵＥコンテキスト再開手順の失敗の通知に基づいてＵＥからのＲＲＣ接続再開要求を直接処理でき、これにより、ＲＲＣ接続再開手順の処理時間を短縮でき、ＲＲＣ接続再開手順の処理効率を向上させることができる。
【００５２】
オプションとして、ＵＥコンテキスト再開手順の失敗の原因は、以下に限定されるものではないが、ｅＮＢが要求したＵＥコンテキストの発見にＭＭＥが失敗したこと、ＵＥのリソースの不足、ＭＭＥの処理の異常、その他の異常状態を含む。本開示におけるＵＥコンテキスト再開手順の失敗の原因に制限はない。更に、ＵＥコンテキスト再開手順の失敗は、ＵＥコンテキスト再開手順の失敗の原因を示すＵＥコンテキスト再開手順の失敗の同一又は異なる原因に対応できる。
【００５３】
例えば、ｅＮＢによって要求されたＵＥコンテキストをＭＭＥが発見できないという状況に対応する原因値を「未知のＵＥコンテキスト（unknowable UE context）」としてもよく、ＵＥのリソース不足の状況に対応する原因値を「ＵＥリソース再開失敗（UE resource resume failure）」としてもよく、ＭＭＥの処理異常等の状況に対応する原因値を「ＭＭＥ処理異常（MME processing abnormity）」としてもよい。
【００５４】
これに代えて、上記ステップＳ３０６において、ＭＭＥは、以下に限定されるものではないが、以下の５つの方式のうちの１つでＵＥコンテキスト再開手順の失敗をｅＮＢに通知してもよい。
【００５５】
方式１
【００５６】
ＭＭＥは、第１のＵＥコンテキスト再開応答メッセージを送信し、ＵＥコンテキスト再開手順の失敗をｅＮＢに通知する。
【００５７】
ＭＭＥは、ＵＥコンテキスト解放指示（UE context release indication）を搬送する第１のＵＥコンテキスト再開応答メッセージをｅＮＢに送信でき、ＵＥコンテキスト解放指示は、ｅＮＢにＵＥコンテキストを解放するよう指示するために使用される。
【００５８】
以下、ＵＥコンテキスト再開手順の方式１に基づく具体例を説明する。この具体例では、ｅＮＢが送信したＵＥコンテキスト再開要求メッセージをＭＭＥが受信し、ＭＭＥがＵＥコンテキストの発見に失敗した場合、又は他の何らかの異常が発生した場合、ＭＭＥは、第１のＵＥコンテキスト再開応答メッセージをｅＮＢに返信し、このメッセージに情報要素を追加することによって、ＵＥコンテキスト再開手順の失敗をｅＮＢに通知する。ここでは、追加される情報要素は、ｅＮＢにＵＥコンテキストの解放を指示する「ＵＥコンテキスト解放指示」であってもよい。指示を受信すると、ｅＮＢは、再開手順が失敗したと判定する。ｅＮＢは、ＵＥコンテキスト解放要求メッセージをＭＭＥに送信してＳ１インタフェースのリソースを解放してもよく、ＭＭＥが後に送信するＵＥコンテキスト解放メッセージを受信してＳ１インタフェースのリソースを解放してもよい。更に、ｅＮＢは、ＵＥに対するエアインタフェース解放手順又はエアインタフェース再構築手順をトリガすることができる。オプションとして、ＭＭＥがＵＥコンテキストの発見に失敗した場合、ＵＥコンテキスト再開応答メッセージにＭＭＥ  ＵＥ  Ｓ１  ＡＰ  ＩＤが含まれないようにしてもよい。オプションとして、メッセージは、再開手順が失敗した原因を示す情報をｅＮＢに搬送するものであってもよい。この具体例では、搬送される原因値は、「未知のＵＥコンテキスト」であってもよい。
【００５９】
方式２
【００６０】
ＭＭＥは、ＵＥコンテキスト再開手順の失敗を基地局に通知するように構成されたＵＥコンテキスト再開失敗メッセージを基地局に送信する。
【００６１】
以下、ＵＥコンテキスト再開手順の方式２に基づく具体例を説明する。この例では、Ｓ１インタフェースの「ＵＥコンテキスト再開失敗メッセージ」が追加される。ｅＮＢが送信したＵＥコンテキスト再開要求メッセージをＭＭＥが受信し、ＭＭＥがＵＥコンテキストの発見に失敗した場合、又は他の何らかの異常が発生した場合、ＭＭＥは、ＵＥコンテキスト再開失敗メッセージをｅＮＢに返信する。メッセージには、再開に失敗した原因をｅＮＢに示す「原因値（Cause）」情報要素が含まれる。この例では、搬送される原因値は、「未知のＵＥコンテキスト」であってもよい。ｅＮＢは、メッセージを受信すると、再開手順が失敗したと判定する。ｅＮＢは、「ＵＥコンテキスト解放要求メッセージ」をＭＭＥに送信してＳ１インタフェースのリソースを解放してもよく、ＭＭＥが後に送信する「ＵＥコンテキスト解放メッセージ」を受信して、Ｓ１インタフェースのリソースを解放してもよい。更に、ｅＮＢは、ＵＥに対するエアインタフェース解放又はエアインタフェース再構築をトリガしてもよい。これに代えて、ＭＭＥがＵＥコンテキストの発見に失敗した場合、ＵＥコンテキスト再開応答メッセージにＭＭＥ  ＵＥ  Ｓ１  ＡＰ  ＩＤが含まれないようにしてもよい。
【００６２】
方式３
【００６３】
ＭＭＥは、ＭＭＥ  ＵＥ  Ｓ１  ＡＰ  ＩＤメッセージを搬送しない第１のメッセージを基地局に送信する。第１のメッセージは、ＵＥコンテキスト再開の失敗を基地局に通知するように構成される。
【００６４】
以下、ＵＥコンテキスト再開手順の方式３に基づく具体例を説明する。この具体例では、ｅＮＢが送信したＵＥコンテキスト再開要求メッセージをＭＭＥが受信し、ＭＭＥがＵＥコンテキストの発見に失敗した場合、又は他の何らかの異常が発生した場合、ＭＭＥは、ＵＥコンテキスト再開応答メッセージ又はＵＥコンテキスト再開失敗メッセージをｅＮＢに返信し、このメッセージは、ＭＭＥ  ＵＥ  Ｓ１  ＡＰ  ＩＤを含まない。ＭＭＥ  ＵＥ  Ｓ１  ＡＰ  ＩＤを含まないメッセージを受信すると、ｅＮＢは、再開手順が失敗したと判定する。ｅＮＢは、ＵＥコンテキスト解放要求メッセージをＭＭＥに送信してＳ１インタフェースのリソースを解放してもよく、ＭＭＥが後に送信するＵＥコンテキスト解放メッセージを受信してＳ１インタフェースのリソースを解放してもよい。更に、ｅＮＢは、ＵＥに対するエアインタフェース解放手順又はエアインタフェース再構築手順をトリガすることができる。
【００６５】
方式４
【００６６】
ＭＭＥは、ＵＥコンテキスト再開要求メッセージに対応するＵＥのＥ−ＵＴＲＡＮ無線アクセスベアラ（Ｅ−ＲＡＢ）再開失敗を示すように構成された第２のＵＥコンテキスト再開応答メッセージを基地局に送信し、この第２のＵＥコンテキスト再開応答メッセージは、１つ以上の再開失敗Ｅ−ＲＡＢ  ＩＤ及び／又は再開失敗Ｅ−ＲＡＢ  ＩＤに対応する再開失敗の原因値を搬送する。例えば、第２のＵＥコンテキスト再開応答メッセージに含まれる、再開失敗Ｅ−ＲＡＢ  ＩＤに対応する再開失敗の原因値は、以下に限定されるものではないが、各再開失敗Ｅ−ＲＡＢ  ＩＤに対応する再開失敗の原因値であってもよく、第２のＵＥコンテキスト再開応答メッセージに含まれる、再開失敗Ｅ−ＲＡＢ  ＩＤに対応する再開失敗の原因値は、以下に限定されるものではないが、全ての再開失敗Ｅ−ＲＡＢ  ＩＤに対応する再開失敗の原因値の１つであってもよく、又は複数の再開失敗Ｅ−ＲＡＢ  ＩＤに対応する同じ再開失敗の原因値であってもよい。また、この状況において、第２のＵＥコンテキスト再開応答メッセージで搬送される、再開失敗Ｅ−ＲＡＢ  ＩＤに対応する再開失敗の原因値は、以下に限定されるものではないが、再開失敗の複数の異なる原因値であってもよい。
【００６７】
以下、ＵＥコンテキスト再開手順の方式４に基づく具体例を説明する。この具体例では、ｅＮＢが送信したＵＥコンテキスト再開要求メッセージをＭＭＥが受信し、ＭＭＥがＵＥコンテキストの発見に失敗した場合、又は他の何らかの異常が発生した場合、ＭＭＥは、ＵＥコンテキスト再開応答メッセージをｅＮＢに直接返信し、このメッセージは、ＵＥの全てのＥ−ＲＡＢが再開手順に失敗したことを示す。全てのＥ−ＲＡＢが再開手順に失敗したことを示すこのメッセージを受信すると、ｅＮＢは、再開手順が失敗したと判定する。ｅＮＢは、「ＵＥコンテキスト解放要求メッセージ」をＭＭＥに送信してＳ１インタフェースのリソースを解放してもよく、ＭＭＥが後に送信する「ＵＥコンテキスト解放メッセージ」を受信して、Ｓ１インタフェースのリソースを解放してもよい。更に、ｅＮＢは、ＵＥに対するエアインタフェース解放手順又はエアインタフェース再構築手順をトリガすることができる。
【００６８】
方式５
【００６９】
ＭＭＥは、ＵＥコンテキスト再開手順で発生したエラーを基地局に通知するように構成されているエラー指示メッセージを基地局に送信する。
【００７０】
以下、ＵＥコンテキスト再開手順の方式５に基づく具体例を説明する。ｅＮＢが送信したＵＥコンテキスト再開要求メッセージをＭＭＥが受信し、ＭＭＥがＵＥコンテキストの発見に失敗した場合、又は他の何らかの異常が発生した場合、ＭＭＥは、エラー指示メッセージ（例えば、エラー指示（Error Indication））をｅＮＢに直接返信し、ここで搬送される原因値は、「未知のＵＥコンテキスト」であってもよい。この失敗指示メッセージを受信すると、ｅＮＢは、再開手順が失敗したと判定する。ｅＮＢは、ＵＥコンテキスト解放要求メッセージをＭＭＥに送信してＳ１インタフェースのリソースを解放してもよく、ＭＭＥが後に送信するＵＥコンテキスト解放メッセージを受信してＳ１インタフェースのリソースを解放してもよい。更に、ｅＮＢは、ＵＥに対するエアインタフェース解放手順又はエアインタフェース再構築手順をトリガすることができる。
【００７１】
前述の５つの方法により、ＭＭＥは、ＵＥコンテキスト再開手順の失敗を基地局に通知でき、基地局がＵＥコンテキスト再開手順の失敗を知ることができないという問題が解決され、基地局がＵＥコンテキスト再開手順の失敗を知ることができるという効果を達成できる。更に、基地局は、ＵＥコンテキスト再開手順の失敗の通知に応じてＵＥのＲＲＣ接続再開要求を直接処理でき、これにより、ＲＲＣ接続再開手順の処理時間を短縮でき、ＲＲＣ接続再開手順の処理効率を向上させることができる。
【００７２】
これに代えて、この実施形態では、ＵＥコンテキスト再開手順の失敗を基地局に通知する際、ＭＭＥは、ＵＥコンテキスト再開手順の失敗原因値を基地局に送信してもよい。例えば、ＭＭＥは、ＵＥコンテキスト再開手順の失敗原因値を搬送する第２のメッセージを基地局に送信し、この第２のメッセージは、ＵＥコンテキスト再開手順の失敗を基地局に通知するために使用される。ＵＥコンテキスト再開手順の失敗の原因を示すために、ＵＥコンテキスト再開手順の失敗原因値が使用される。以上のステップにより、ＭＭＥは、失敗原因値を基地局に送信し、基地局は、様々な原因値に応じてＵＥに対するＲＲＣ再開要求を異なる方法で処理でき、これにより、再開手順の処理効率を向上させることができる。
【００７３】
これに代えて、第２のメッセージは、以下に限定されるものではないが、第１のＵＥコンテキスト再開応答メッセージ、ＵＥコンテキスト再開失敗メッセージ、ＭＭＥ  ＵＥ  Ｓ１  ＡＰ  ＩＤメッセージを搬送しない第１のメッセージ、第２のＵＥコンテキスト再開応答メッセージ、又はエラー指示メッセージであってもよい。すなわち、これら全てのメッセージ（第１のＵＥコンテキスト再開応答メッセージ、ＵＥコンテキスト再開失敗メッセージ、ＭＭＥ  ＵＥ  Ｓ１  ＡＰ  ＩＤメッセージを搬送しない第１のメッセージ、第２のＵＥコンテキスト再開応答メッセージ、又はエラー指示メッセージ）は、ＵＥコンテキスト再開の失敗原因値を直接搬送できる。第２のメッセージは、上記のメッセージから独立し、ＵＥコンテキスト再開手順の失敗の原因を示すための専用のメッセージであってもよい。
【００７４】
これに代えて、この実施形態では、ＵＥコンテキスト再開手順の失敗原因値は、以下に限定されるものではないが、未知のＵＥコンテキスト、ＵＥリソース再開失敗、及びＭＭＥ処理異常のうちの１つを含むことができる。上記のステップにより、異なる再開失敗状況に対して異なる原因値が設定される。基地局には、これらの原因値が通知され、基地局は、ＵＥコンテキスト再開手順の失敗の状況及び失敗の原因を取得することができ、したがって、基地局がＵＥコンテキスト再開手順の失敗を知ることができないという問題が解決され、基地局がＵＥコンテキスト再開手順の失敗を知ることができるという効果を達成できる。更に、基地局は、これらの原因に応じてリソース又は接続を処理でき、ＵＥコンテキスト再開手順の効率を改善でき、リソースの利用率も向上させることができる。
【００７５】
これに代えて、ステップＳ３０６の後、ＭＭＥは、基地局にＳ１インタフェースのリソースを解放することを指示でき、又は基地局からのＵＥコンテキスト解放要求メッセージに基づいて基地局がＳ１インタフェースのリソースを解放することを指示できる。例えば、ＭＭＥは、ＵＥコンテキスト解放命令メッセージを基地局に送信でき、ＵＥコンテキスト解放命令メッセージは、基地局とＭＭＥとの間のＳ１インタフェースのリソースを解放することを基地局に指示するために使用される。ＭＭＥは、また、基地局が送信したＵＥコンテキスト解放要求メッセージを受信することができ、ＵＥコンテキスト解放要求メッセージに基づいて、ＵＥコンテキスト解放命令メッセージを基地局に送信することができる。
【００７６】
上記の方法により、ＭＭＥは、ＵＥコンテキスト再開手順の失敗の状況又はその他の状況（リソース使用状況等）に応じて自らとｅＮＢとの間のＳ１インタフェースのリソースを処理するモードを選択でき、これにより、効率的なリソース管理を実現でき、リソースの無駄を低減でき、リソースを合理的に使用できる効果を達成できる。
【００７７】
第２の実施形態
【００７８】
この実施形態では、ユーザ機器（ＵＥ）コンテキスト再開方法が提供される。図４は、本開示の別の実施形態による、ＵＥコンテキスト再開方法のフローチャートである。図４に示すように、このフローは、以下のステップを含む。
【００７９】
Ｓ４０２において、ｅＮＢは、ｅＮＢに対応するＭＭＥにＵＥコンテキスト再開要求メッセージを送信し、ＵＥコンテキスト再開要求メッセージは、ＭＭＥに対し、ＵＥコンテキスト再開要求メッセージに対応するＵＥコンテキスト再開を指示するために使用される。
【００８０】
Ｓ４０４において、ｅＮＢは、ＭＭＥが送信した通知を取得し、この通知は、ＵＥコンテキスト再開手順の失敗を示すために使用される。
【００８１】
Ｓ４０６において、ｅＮＢは、通知の指示に基づいて、ＵＥコンテキスト再開の手順に失敗が生じたと判定する。
【００８２】
これに代えて、上記のステップは、リソース再開シナリオに適用でき、具体的には、ＮＢ−ＩＯＴシステムにおけるユーザプレーンモードにおけるリソース再開シナリオに適用できる。
【００８３】
以上のステップにより、ＭＭＥがＵＥコンテキストを再開できないという状況下において、ｅＮＢは、ＭＭＥからＵＥコンテキスト再開手順の失敗を示す通知を直接的に取得でき、この通知に基づいて、ＵＥコンテキストに対応するリソースを解放するフローを実行できる。上記のステップを採用することにより、ｅＮＢがＵＥコンテキスト再開手順の失敗を知ることができないという問題が解決され、ｅＮＢがＵＥコンテキスト再開手順の失敗を知ることができるという効果が達成される。更に、ｅＮＢは、ＵＥコンテキスト再開手順の失敗の通知に基づいて、ＵＥからのＲＲＣ接続再開要求を直接処理でき、これにより、ＲＲＣ接続再開手順の処理時間を短縮でき、ＲＲＣ接続再開手順の処理効率を向上させることができる。
【００８４】
オプションとして、ＵＥコンテキスト再開の失敗の状況は、以下に限定されるものではないが、ｅＮＢが要求したＵＥコンテキストをＭＭＥが発見できない状況、ＵＥリソース不足、ＭＭＥ処理異常、又は他の異常状況を含むことができる。なお、本開示では、これらの状況に制限はない。更に、ＵＥコンテキスト再開の失敗の状況は、ＵＥコンテキスト再開手順の同一又は異なる失敗原因値に対応させることができ、これらは、再開手順の失敗の原因を示すのに役立つ。例えば、ｅＮＢが要求したＵＥコンテキストをＭＭＥが発見できないという状況は、「未知のＵＥコンテキスト」の原因値に対応でき、ＵＥリソースが不足する状況は、「ＵＥリソース再開失敗」の原因値に対応でき、ＭＭＥ処理異常等の異常の状況は、「ＭＭＥ処理異常」の原因値に対応できる。
【００８５】
オプションとして、ステップＳ４０４において、ｅＮＢは、以下に限定されるものではないが、以下の５つの方式のうちの１つによってＵＥコンテキスト再開手順の失敗を示す通知を受信できる。
【００８６】
方式１
【００８７】
ｅＮＢは、ＭＭＥから第１のＵＥコンテキスト再開応答メッセージを受信し、この第１のＵＥコンテキスト再開応答メッセージは、ＵＥコンテキスト再開手順の失敗をｅＮＢに通知するために使用される。
【００８８】
これに代えて、ｅＮＢは、ＭＭＥからＵＥコンテキスト解放指示を搬送する第１のＵＥコンテキスト再開応答メッセージを受信でき、ＵＥコンテキスト解放指示は、ｅＮＢに対し、ＵＥコンテキストを解放することを指示するために使用される。
【００８９】
以下、ＵＥコンテキスト再開手順の方式１に基づく具体例を説明する。図５は、本開示の第１の実施形態による、ＵＥコンテキスト再開方法のフローチャートである。図５に示すように、この方法は、以下のステップを含む。
【００９０】
Ｓ５０２において、ｅＮＢは、ＵＥコンテキスト再開要求メッセージをＭＭＥに送信する。
【００９１】
Ｓ５０４において、ｅＮＢが送信したメッセージを受信した後、ＭＭＥは、「ＭＭＥ  ＵＥ  Ｓ１  ＡＰ  ＩＤ」と「ｅＮＢ  ＵＥ  Ｓ１  ＡＰ  ＩＤ」に基づき、ＵＥのコンテキストがＭＭＥ内に存在するか、及びＭＭＥがＵＥコンテキストの発見に失敗したか、又は他の何らかの異常がＭＭＥ上で発生したかを検索する。
【００９２】
Ｓ５０６において、ＭＭＥは、ＵＥコンテキスト再開応答メッセージをｅＮＢに送信し、このメッセージは、「ＵＥコンテキスト解放指示」情報要素及び「原因値」情報要素のうちの少なくとも１つを含む。ＭＭＥがＵＥコンテキストを発見できない場合、「原因値」情報要素は、値「未知のＵＥコンテキスト」とすることができ、ＭＭＥのベアラが再開に失敗した場合、「原因値」情報要素は、値「ＵＥリソース再開失敗」であってもよい。
【００９３】
Ｓ５０８において、ｅＮＢは、ＭＭＥが送信したＵＥコンテキスト再開応答メッセージを受信し、メッセージが「ＵＥコンテキスト解放指示」情報要素を搬送していると判定すると、再開手順が失敗したと判定する。
【００９４】
Ｓ５１０において、ｅＮＢは、ＵＥコンテキスト解放要求メッセージをＭＭＥに送信してＳ１インタフェースのリソースを解放させ、又はｅＮＢは、ＭＭＥが後に送信するＵＥコンテキスト解放メッセージを受信して、Ｓ１インタフェースのリソースを解放する。
【００９５】
更に、ｅＮＢは、ＵＥに対するエアインタフェース解放手順又はエアインタフェース再構築手順をトリガしてもよい。
【００９６】
方式２
【００９７】
ｅＮＢは、ＵＥコンテキスト再開失敗メッセージを受信し、これは、ＵＥコンテキスト再開手順の失敗をＭＭＥからｅＮＢに通知するために使用される。
【００９８】
以下、ＵＥコンテキスト再開手順の方式２に基づく具体例を説明する。図６は、本開示の第２の実施形態による、ＵＥコンテキスト再開方法のフローチャートである。図６に示すように、この方法は、以下のステップを含む。
【００９９】
Ｓ６０２において、ｅＮＢは、ＵＥコンテキスト再開要求メッセージをＭＭＥに送信する。
【０１００】
Ｓ６０４において、ｅＮＢが送信したメッセージを受信した後、ＭＭＥは、「ＭＭＥ  ＵＥ  Ｓ１  ＡＰ  ＩＤ」と「ｅＮＢ  ＵＥ  Ｓ１  ＡＰ  ＩＤ」に基づき、ＵＥのコンテキストがＭＭＥ内に存在するか、及びＭＭＥがＵＥコンテキストの発見に失敗したか、又は他の何らかの異常がＭＭＥ上で発生したかを検索する。
【０１０１】
Ｓ６０６において、ＭＭＥは、ＵＥコンテキスト再開失敗メッセージをｅＮＢに送信し、このメッセージは、「原因値」情報要素を搬送する。ＭＭＥがＵＥコンテキストを発見できない場合、情報要素は、値「未知のＵＥコンテキスト」とすることができ、ＭＭＥのベアラが再開手順に失敗した場合、情報要素は、値「ＵＥリソース再開失敗」とすることができる。
【０１０２】
Ｓ６０８において、ＭＭＥが送信したＵＥコンテキスト再開失敗メッセージを受信すると、ｅＮＢは、再開手順が失敗したと判定する。
【０１０３】
Ｓ６１０において、ｅＮＢは、ＵＥコンテキスト解放要求メッセージをＭＭＥに送信してＳ１インタフェースのリソースを解放させ、又はｅＮＢは、ＭＭＥが後に送信するＵＥコンテキスト解放メッセージを受信して、Ｓ１インタフェースのリソースを解放する。
【０１０４】
更に、ｅＮＢは、ＵＥに対するエアインタフェース解放手順又はエアインタフェース再構築手順をトリガしてもよい。
【０１０５】
方式３
【０１０６】
ｅＮＢは、ＭＭＥが送信した第１のメッセージを受信する。第１のメッセージは、ＭＭＥ  ＵＥ  Ｓ１  ＡＰ  ＩＤメッセージを搬送せず、ＵＥコンテキスト再開手順の失敗をｅＮＢに通知するために使用される。
【０１０７】
以下、ＵＥコンテキスト再開手順の方式３に基づく具体例を説明する。図７は、本開示の第３の実施形態による、ＵＥコンテキスト再開方法のフローチャートである。図７に示すように、この方法は、以下のステップを含む。
【０１０８】
Ｓ７０２において、ｅＮＢは、ＵＥコンテキスト再開要求メッセージをＭＭＥに送信する。
【０１０９】
Ｓ７０４において、ｅＮＢが送信したメッセージを受信した後、ＭＭＥは、「ＭＭＥ  ＵＥ  Ｓ１  ＡＰ  ＩＤ」と「ｅＮＢ  ＵＥ  Ｓ１  ＡＰ  ＩＤ」に基づき、ＵＥのコンテキストがＭＭＥ内に存在するか、及びＭＭＥがＵＥコンテキストの発見に失敗したか、又は他の何らかの異常がＭＭＥ上で発生したかを検索する。
【０１１０】
Ｓ７０６において、ＭＭＥは、ＵＥコンテキスト再開応答メッセージをｅＮＢに送信し、このメッセージは、ＭＭＥ  ＵＥ  Ｓ１  ＡＰ  ＩＤを搬送しないメッセージ及び「原因値」情報要素を搬送するメッセージのうちの１つであってもよい。ＭＭＥがＵＥコンテキストを発見できない場合、「原因値」情報要素は、値「未知のＵＥコンテキスト」とすることができ、ＭＭＥ側のベアラが再開に失敗した場合、「原因値」情報要素は、値「ＵＥリソース再開失敗」とすることができる。
【０１１１】
Ｓ７０８において、ｅＮＢは、ＭＭＥが送信したＵＥコンテキスト再開応答メッセージを受信し、メッセージがＭＭＥ  ＵＥ  Ｓ１  ＡＰ  ＩＤを搬送していないと判定すると、再開手順が失敗したと判定する。
【０１１２】
Ｓ７１０において、ｅＮＢは、ＵＥコンテキスト解放要求メッセージをＭＭＥに送信してＳ１インタフェースのリソースを解放させ、又はｅＮＢは、ＭＭＥが後に送信するＵＥコンテキスト解放メッセージを受信して、Ｓ１インタフェースのリソースを解放する。
【０１１３】
更に、ｅＮＢは、ＵＥに対するエアインタフェース解放手順又はエアインタフェース再構築手順をトリガしてもよい。
【０１１４】
方式４
【０１１５】
ｅＮＢは、ＭＭＥが送信した第２のＵＥコンテキスト再開応答メッセージを受信し、第２のＵＥコンテキスト再開応答メッセージは、ＵＥコンテキスト再開要求メッセージに対応するＵＥのＥ−ＲＡＢ再開失敗を示すために使用され、また、第２のＵＥコンテキスト再開応答メッセージは、１又は複数の再開失敗Ｅ−ＲＡＢ  ＩＤ及び／又は再開に失敗したＥ−ＲＡＢ  ＩＤに対応する失敗原因値を搬送する。例えば、第２のＵＥコンテキスト再開応答メッセージに含まれる、再開失敗Ｅ−ＲＡＢ  ＩＤに対応する再開の失敗原因値は、以下に限定されるものではないが、各再開失敗Ｅ−ＲＡＢ  ＩＤに対応する再開の失敗原因値であってもよく、第２のＵＥコンテキスト再開応答メッセージに含まれる、再開失敗Ｅ−ＲＡＢ  ＩＤに対応する再開失敗の原因値は、以下に限定されるものではないが、全ての再開失敗Ｅ−ＲＡＢ  ＩＤに対応する再開の失敗原因値の１つであってもよく、又は複数の再開失敗Ｅ−ＲＡＢ  ＩＤに対応する同じ再開の失敗原因値であってもよい。また、この状況において、第２のＵＥコンテキスト再開応答メッセージで搬送される、再開失敗Ｅ−ＲＡＢ  ＩＤに対応する再開の失敗原因値は、以下に限定されるものではないが、再開失敗の複数の異なる原因値であってもよい。
【０１１６】
以下、ＵＥコンテキスト再開手順の方式４に基づく具体例を説明する。図８は、本発明の第５の実施形態による、ＵＥコンテキスト再開方法のフローチャートである。図８に示すように、この方法は、以下のステップを含む。
【０１１７】
Ｓ８０２において、ｅＮＢは、ＵＥコンテキスト再開要求メッセージをＭＭＥに送信する。
【０１１８】
Ｓ８０４において、ｅＮＢが送信したメッセージを受信した後、ＭＭＥは、「ＭＭＥ  ＵＥ  Ｓ１  ＡＰ  ＩＤ」と「ｅＮＢ  ＵＥ  Ｓ１  ＡＰ  ＩＤ」に基づき、ＵＥのコンテキストがＭＭＥに存在するか、及びＭＭＥがＵＥコンテキストの発見に失敗したか、又はＭＭＥに他の異常が発生したか（例えば、ＭＭＥのリソースの制限によりベアラが再開できない。）を検索する。
【０１１９】
Ｓ８０６において、ＭＭＥは、ＵＥコンテキスト再開応答メッセージをｅＮＢに送信し、このメッセージは、全ての再開失敗Ｅ−ＲＡＢ  ＩＤを搬送するメッセージ及び「原因値」情報要素を搬送するメッセージのうちの少なくとも１つであってもよい。ＭＭＥがＵＥコンテキストを発見できない場合、「原因値」情報要素は、「未知のＵＥコンテキスト」としてもよく、ベアラがＭＭＥ上のリソースの制限のために再開できない場合、「原因値」情報要素は、「ＭＭＥリソース制限」としてもよい。
【０１２０】
Ｓ８０８において、ｅＮＢは、ＭＭＥがＵＥコンテキスト再開応答メッセージを受信し、このメッセージが全ての再開失敗Ｅ−ＲＡＢ  ＩＤを搬送していると判定すると、再開手順が失敗したと判定する。
【０１２１】
Ｓ８１０において、ｅＮＢは、ＵＥコンテキスト解放要求メッセージをＭＭＥに送信してＳ１インタフェースのリソースを解放させ、又はｅＮＢは、ＭＭＥが後に送信するＵＥコンテキスト解放メッセージを受信して、Ｓ１インタフェースのリソースを解放する。
【０１２２】
更に、ｅＮＢは、ＵＥに対するエアインタフェース解放手順又はエアインタフェース再構築手順をトリガしてもよい。
【０１２３】
方式５
【０１２４】
ｅＮＢは、ＭＭＥが送信したエラー指示メッセージを受信する。エラー指示メッセージは、ＵＥコンテキスト再開手順で発生したエラーを示すために使用される。
【０１２５】
以下、ＵＥコンテキスト再開手順の方式５に基づく具体例を説明する。図９は、本開示の第５の実施形態による、ＵＥコンテキスト再開方法のフローチャートである。図９に示すように、この方法は、以下のステップを含む。
【０１２６】
Ｓ９０２において、ｅＮＢは、ＵＥコンテキスト再開要求メッセージをＭＭＥに送信する。
【０１２７】
ステップ９０４において、ｅＮＢが送信したメッセージを受信した後、ＭＭＥは、「ＭＭＥ  ＵＥ  Ｓ１  ＡＰ  ＩＤ」と「ｅＮＢ  ＵＥ  Ｓ１  ＡＰ  ＩＤ」に基づき、ＵＥのコンテキストがＭＭＥ内に存在するか、及びＭＭＥがＵＥコンテキストの発見に失敗したか、又は他の何らかの異常がＭＭＥ上で発生したかを検索する。
【０１２８】
Ｓ９０６において、ＭＭＥは、エラー指示メッセージをｅＮＢに送信し、このメッセージは、「原因値」情報要素等の内容を含むことができる。ＭＭＥがＵＥコンテキストを発見できない場合、この情報要素は、「未知のＵＥコンテキスト」としてもよい。
【０１２９】
Ｓ９０８において、ＭＭＥが送信したエラー指示メッセージを受信すると、ｅＮＢは、再開手順が失敗したと判定する。
【０１３０】
Ｓ９１０において、ｅＮＢは、ＵＥコンテキスト解放要求メッセージをＭＭＥに送信してＳ１インタフェースのリソースを解放させ、又はｅＮＢは、ＭＭＥが後に送信するＵＥコンテキスト解放メッセージを受信して、Ｓ１インタフェースのリソースを解放する。
【０１３１】
更に、ｅＮＢは、ＵＥに対するエアインタフェース解放手順又はエアインタフェース再構築手順をトリガしてもよい。
【０１３２】
上記の５つの方式により、ｅＮＢは、ＵＥコンテキスト再開手順の失敗を示すために使用される異なる通知に基づいてＵＥのＲＲＣ接続再開要求を処理することを決定できる。上記のステップにより、ｅＮＢがＵＥコンテキスト再開手順の失敗を知ることができないという問題が解決され、ｅＮＢがＵＥコンテキスト再開手順の失敗を知ることができるという効果が達成される。更に、ｅＮＢは、ＵＥコンテキスト再開失敗の通知に応じて、ＵＥのＲＲＣ接続再開要求を直接処理でき、ＲＲＣ接続再開手順の処理時間が短縮され、ＲＲＣ接続再開手順の処理効率が向上する。
【０１３３】
これに代えて、ステップＳ４０４において、ｅＮＢが受信する通知は、ＵＥコンテキスト再開手順の失敗原因値を搬送するものであってもよい。例えば、ｅＮＢは、ＭＭＥが送信したＵＥコンテキスト再開手順の失敗原因値を搬送する第２のメッセージを受信し、この第２のメッセージは、ＵＥコンテキスト再開手順の失敗をｅＮＢに通知するために使用され、ＵＥコンテキスト再開手順の失敗原因値は、ＵＥコンテキスト再開手順の失敗の原因を示すために使用される。
【０１３４】
これに代えて、第２のメッセージは、以下に限定されるものではないが、第１のＵＥコンテキスト再開応答メッセージ、ＵＥコンテキスト再開失敗メッセージ、ＭＭＥ  ＵＥ  Ｓ１  ＡＰ  ＩＤメッセージを搬送しない第１のメッセージ、第２のＵＥコンテキスト再開応答メッセージ、又はエラー指示メッセージであってもよい。換言すれば、これらのメッセージの全ては、ＵＥコンテキスト再開手順の失敗原因値を直接的に搬送できる。また、第２のメッセージは、上記のメッセージから独立し、ＵＥコンテキスト再開手順の失敗の原因を示すために専用に使用されるメッセージであってもよい。
【０１３５】
これに代えて、ＵＥコンテキスト再開手順の失敗原因値は、以下に限定されるものではないが、未知のＵＥコンテキスト、ＵＥリソース再開失敗及びＭＭＥ処理異常の１つを含むことができる。以上のステップにより、再開手順の失敗の異なる状況に対して異なる原因値が設定される。ｅＮＢには、これらの原因値が通知され、ｅＮＢは、ＵＥコンテキスト再開手順の失敗、及びその失敗原因値を取得でき、これにより、ｅＮＢがＵＥコンテキスト再開手順の失敗を知ることができないという問題が解決され、ｅＮＢがＵＥコンテキスト再開手順の失敗を知ることができるという効果が得られる。更に、ｅＮＢは、これらの原因に応じてリソース又は接続を処理でき、ＵＥコンテキスト再開手順の効率を改善でき、リソースの利用率も向上させることができる。
【０１３６】
これに代えて、ステップＳ４０６の後、基地局は、ＵＥコンテキスト再開要求メッセージに対応するＵＥに、エアインタフェースを解放する又はエアインタフェースを再構築することを通知できる。ＭＭＥが基地局にＵＥコンテキスト再開手順の失敗を通知した後、基地局は、ＵＥのための処理ストラテジを決定し、ＵＥのエアインタフェースリソースを解放でき、ＵＥとの接続を再構築することもできる。以上のステップにより、基地局は、取得したＵＥコンテキスト再開失敗に基づいて、ＵＥのために実行するストラテジを決定でき、これにより、基地局がＵＥコンテキスト再開の失敗を知ることができないという問題を解決でき、ｅＮＢがＵＥコンテキスト再開の失敗を知ることができるという効果が達成される。また、再開フローの効率も向上させることができる。更に、ＵＥ側で、対応する対策をタイムリーに取得することによって、リソースの無駄が回避され、リソースの利用率を高めることができる。
【０１３７】
基地局がＵＥコンテキスト再開失敗を判定した後、基地局とＭＭＥとの間のＳ１インタフェースのリソースをスケジューリングできる。
【０１３８】
例えば、上記のステップＳ４０６の後、ｅＮＢは、ＭＭＥが送信したＵＥコンテキスト解放命令メッセージを受信し、ＵＥコンテキスト解放命令メッセージの指示に基づいて、ｅＮＢとＭＭＥとの間のＳ１インタフェースのリソースを解放する。
【０１３９】
また、ＭＭＥが送信したＵＥコンテキスト解放命令メッセージを受信する前に、ｅＮＢは、ＵＥコンテキスト解放要求メッセージをさらにＭＭＥに送信してもよい。次に、ＭＭＥが送信したＵＥコンテキスト解放命令メッセージを受信した後、ｅＮＢは、ＭＭＥの指示に基づいて、ｅＮＢとＭＭＥとの間のＳ１インタフェースのソースを解放する。
【０１４０】
上記のステップにより、ｅＮＢは、ＵＥコンテキスト再開手順の失敗を知った後、他のＭＭＥ内のインタフェースＳ１のリソースを必要に応じて処理でき、これにより、ｅＮＢがＵＥコンテキスト再開手順の失敗を知ることができないという問題が解決され、ｅＮＢがＵＥコンテキスト再開手順の失敗を知ることができるという効果が達成され、リソースをより合理的にスケジューリングでき、リソースの利用率が向上する。
【０１４１】
以上の実施形態の説明により、上記の実施形態によって提供される方法は、ソフトウェア及び必要な汎用ハードウェアプラットフォームによって実現できることは当業者にとって明らかであり、もちろん、この方法は、ハードウェアによって実現することもできるが、多くの場合、前者のほうが優れている。このような理解に基づき、本開示の技術スキームは、本質的に、又は先行技術に対して貢献する部分を、ソフトウェア製品の形式で具現化できる。コンピュータソフトウェア製品は、記憶媒体（例えば、リードオンリーメモリ（ＲＯＭ）／ランダムアクセスメモリ（ＲＡＭ）、磁気ディスク、光ディスク）に保存され、一組の端末機器（携帯電話、コンピュータ、サーバ、ネットワーク機器等であってもよい。）に本開示の全ての実施形態が提供する方法を実行させる複数の命令を含む。
【０１４２】
第３の実施形態
【０１４３】
この実施形態では、ＵＥコンテキストを再開するためのデバイスが提供され、これは、移動管理エンティティ（ＭＭＥ）に適用され、上記の実施形態及び好ましい具体例を実施するために使用される。既に記述したこれらの実施形態の説明は繰り返さない。以下で使用する「モジュール」という用語は、ソフトウェア及び／又はハードウェアとプリセット機能との組み合わせによって実現できる。以下の実施形態で説明されるデバイスは、好ましくはソフトウェアによって実現されるが、これらのデバイスは、ハードウェアによって実現してもよく、ソフトウェアとハードウェアの組み合わせによって実現してもよい。
【０１４４】
図１０は、本発明の一実施形態による、ＵＥコンテキスト再開デバイスの構造を示す概略図である。図１０に示すように、このデバイスは、
（１）ｅＮＢが送信したＵＥコンテキスト再開要求メッセージを受信するように構成された第１の受信モジュール１０２と、
（２）第１の受信モジュール１０２に接続され、ＵＥコンテキスト再開要求メッセージに対応するＵＥコンテキストを再開するように構成された再開モジュール１０４と、
（３）再開モジュール１０４に接続され、ＵＥコンテキスト再開手順が失敗した状況下で、ＵＥコンテキスト再開手順の失敗をｅＮＢに通知するように構成された第１の通知モジュール１０６とを備える。
【０１４５】
これに代えて、第１の通知モジュール１０６は、第１のＵＥコンテキスト再開応答メッセージをｅＮＢに送信するように構成され、第１のＵＥコンテキスト再開応答メッセージは、ＵＥコンテキスト再開手順の失敗をｅＮＢに通知するために使用され、又はＵＥコンテキスト再開失敗メッセージをｅＮＢに送信し、ＵＥコンテキスト再開失敗メッセージは、ＵＥコンテキスト再開手順の失敗をｅＮＢに通知するために使用され、又はＭＭＥ  ＵＥ  Ｓ１  ＡＰ  ＩＤメッセージを搬送しない第１のメッセージをｅＮＢに送信し、第１のメッセージは、ＵＥコンテキスト再開手順の失敗をｅＮＢに通知するために使用され、又は第２のＵＥコンテキスト再開応答メッセージをｅＮＢに送信し、第２のＵＥコンテキスト再開応答メッセージは、ＵＥコンテキスト再開要求メッセージに対応するＵＥのＥ−ＲＡＢ再開手順の失敗を示すために使用され、第２のＵＥコンテキスト再開応答メッセージは、１又は複数の再開失敗Ｅ−ＲＡＢ  ＩＤ及び／又は再開失敗Ｅ−ＲＡＢ  ＩＤに対応する再開の失敗原因値を搬送し、又はｅＮＢにエラー指示メッセージを送信し、エラー指示メッセージは、ＵＥコンテキスト再開手順で発生したエラーをｅＮＢに通知するために使用される。
【０１４６】
これに代えて、第１の通知モジュール１０６は、ＵＥコンテキスト解放指示を搬送する第１のＵＥコンテキスト再開応答メッセージをｅＮＢに送信するように構成され、ＵＥコンテキスト解放指示は、ＵＥコンテキストを解放することをｅＮＢに指示するために使用される。
【０１４７】
これに代えて、第１の通知モジュール１０６は、ＵＥコンテキスト再開手順の失敗原因値を搬送する第２のメッセージをｅＮＢに送信するように構成され、第２のメッセージは、ＵＥコンテキスト再開手順の失敗をｅＮＢに通知するために使用され、ＵＥコンテキスト再開手順の失敗原因値は、ＵＥコンテキスト再開手順の失敗の原因を示すために使用される。
【０１４８】
オプションとして、ＵＥコンテキスト再開の失敗原因値は、以下に限定されるものではないが、未知のＵＥコンテキスト、ＵＥリソース再開失敗及びＭＭＥ処理異常の１つを含むことができる。
【０１４９】
図１１は、本発明の他の実施形態による、ＵＥコンテキスト再開デバイスの構成を示す概略図である。図１１に示すように、オプションとして、このデバイスは、更に、
第１の通知モジュール１０６に接続され、ＵＥコンテキスト解放命令メッセージをｅＮＢに送信するように構成された第１の送信モジュール１１２を備えることができ、ＵＥコンテキスト解放命令メッセージは、ｅＮＢとＭＭＥとの間のＳ１インタフェースのリソースを解放することをｅＮＢに指示するために使用される。
【０１５０】
図１２は、本開示の更に別の実施形態による、ＵＥコンテキスト再開デバイスの構造を示す概略図である。図１２に示すように、オプションとして、このデバイスは、更に、
第１の通知モジュール１０６と第１の送信モジュール１１２との間に接続され、ｅＮＢが送信したＵＥコンテキスト解放要求メッセージを受信するように構成された第２の受信モジュール１２２を備えることができる。
【０１５１】
第４の実施形態
【０１５２】
この実施形態では、ＵＥコンテキストを再開するためのデバイスが提供され、これは、ｅＮＢに適用され、上記の実施形態及び好ましい実施態様を実施するために使用される。既に記述したこれらの実施形態の説明は繰り返さない。以下で使用する「モジュール」という用語は、ソフトウェア及び／又はハードウェアとプリセット機能との組み合わせによって実現できる。以下の実施形態で説明されるデバイスは、好ましくはソフトウェアによって実現されるが、これらのデバイスは、ハードウェアによって実現してもよく、ソフトウェアとハードウェアの組み合わせによって実現してもよい。
【０１５３】
図１３は、本開示の更に別の実施形態による、ＵＥコンテキスト再開デバイスの構造を示す概略図である。図１３に示すように、このデバイスは、
１）ｅＮＢに対応するＭＭＥにＵＥコンテキスト再開要求メッセージを送信するように構成され、ＵＥコンテキスト再開要求メッセージは、ＵＥコンテキスト再開要求メッセージに対応するＵＥコンテキストを再開するようにＭＭＥに指示するために使用される第２の送信モジュール１３２と、
２）第２の送信モジュール１３２に接続され、ＭＭＥが送信した通知を取得するように構成され、この通知は、ＵＥコンテキスト再開手順の失敗を示すために使用される取得モジュール１３４と、
３）取得モジュール１３４に接続され、通知の指示に基づいて、ＵＥコンテキスト再開手順が失敗したことを判定するように構成されている判定モジュール１３６とを備える。
【０１５４】
これに代えて、取得モジュール１３４は、ＭＭＥが送信した第１のＵＥコンテキスト再開応答メッセージを受信するように構成され、第１のＵＥコンテキスト再開応答メッセージは、ＵＥコンテキスト再開手順の失敗をｅＮＢに通知するために使用され、又はＭＭＥが送信したＵＥコンテキスト再開失敗メッセージを受信するように構成され、ＵＥコンテキスト再開失敗メッセージは、ＵＥコンテキスト再開手順の失敗をｅＮＢに通知するために使用され、又はＭＭＥからＭＭＥ  ＵＥ  Ｓ１  ＡＰ  ＩＤメッセージを搬送しない第１のメッセージを受信するように構成され、第１のメッセージは、ＵＥコンテキスト再開手順の失敗をｅＮＢに通知するために使用され、又はＭＭＥが送信した第２のＵＥコンテキスト再開応答メッセージを受信するように構成され、第２のＵＥコンテキスト再開応答メッセージは、ＵＥコンテキスト再開要求メッセージに対応するＵＥのＥ−ＲＡＢ再開手順における失敗を示すために使用され、第２のＵＥコンテキスト再開応答メッセージは、１又は複数の再開失敗Ｅ−ＲＡＢ  ＩＤ及び／又は再開失敗Ｅ−ＲＡＢ  ＩＤに対応する再開の失敗原因値を搬送し、又はＭＭＥが送信したエラー指示メッセージを受信するように構成され、エラー指示メッセージは、ＵＥコンテキスト再開手順で発生したエラーをｅＮＢに通知するために使用される。
【０１５５】
これに代えて、取得モジュール１３４は、ＭＭＥが送信した第１のＵＥコンテキスト再開応答メッセージを受信するように構成され、第１コンテキスト再開応答メッセージは、ＵＥコンテキスト解放指示を搬送し、ＵＥコンテキスト解放指示は、ＵＥコンテキストを解放することをｅＮＢに指示するために使用される。
【０１５６】
これに代えて、取得モジュール１３４は、ＭＭＥが送信する第２のメッセージを受信するように構成され、第２のメッセージは、ＵＥコンテキスト再開手順の失敗原因値を搬送し、ＵＥコンテキスト再開手順の失敗をｅＮＢに通知するために使用され、ＵＥコンテキスト再開手順の失敗原因値は、ＵＥコンテキスト再開手順の失敗の原因を示すために使用される。
【０１５７】
これに代えて、ＵＥコンテキスト再開手順の失敗原因値は、以下に限定されるものではないが、未知のＵＥコンテキスト、ＵＥリソース再開失敗及びＭＭＥ処理異常の１つを含むことができる。
【０１５８】
図１４は、本開示の更に別の実施形態による、ＵＥコンテキスト再開デバイスの構造を示す概略図である。図１４に示すように、このデバイスは、更に、
判定モジュール１３６に接続され、ＵＥコンテキスト再開要求メッセージに対応するＵＥに、エアインタフェースを解放する、又はエアインタフェースを再構築することを知らせるように構成された第２の通知モジュール１４２を備える。
【０１５９】
図１５は、本開示の更に別の実施形態による、ＵＥコンテキスト再開デバイスの構造を示す概略図である。図１５に示すように、このデバイスは、更に、
１）判定モジュール１３６に接続され、通知が第１のメッセージ又は第２のＵＥコンテキスト再開応答メッセージ又はエラー指示メッセージを含むという状況下で、ＭＭＥが送信したＵＥコンテキスト解放命令メッセージを受信するように構成された第３の受信モジュール１５２と、
２）第３の受信モジュール１５２に接続され、ＵＥコンテキスト解放命令メッセージの指示に基づいて、ｅＮＢとＭＭＥとの間のＳ１インタフェースのリソースを解放する解放モジュール１５４とを備える。
【０１６０】
図１６は、本発明の更に他の実施形態による、ＵＥコンテキスト再開デバイスの構造を示す概略図である。図１６に示すように、このデバイスは、更に、
第３の受信モジュール１５２と判定モジュール１３６との間に接続され、ＵＥコンテキスト解放要求メッセージをＭＭＥに送信するように構成された第３の送信モジュール１６２を備える。
【０１６１】
第５の実施形態
【０１６２】
この実施形態では、ＭＭＥに適用され、ＵＥコンテキストを再開する上記のデバイスと、ｅＮＢに適用され、ＵＥコンテキストを再開する上記のデバイスとを含む、ＵＥコンテキストを再開するためのシステムが提供される。
【０１６３】
なお、上記の全てのモジュールは、ソフトウェア又はハードウェアによって実現できる。ハードウェアは、以下に限定されるものではないが、これらのモジュールが全て同じプロセッサに配置される方式で実現してもよく、これらのモジュールが複数のプロセッサにそれぞれ配置される方式で実現してもよい。
【０１６４】
第６実施形態
【０１６５】
本開示の実施形態は、更に、ソフトウェアを提供する。このソフトウェアは、上記の実施形態及び好ましい実施形態で説明した技術スキームの実行に使用される。
【０１６６】
本開示の実施形態は、更に、記憶媒体を提供する。この実施形態では、記憶媒体は、以下のステップを実行するためのプログラムコードを格納するように構成できる。
【０１６７】
Ｓ１１において、ＭＭＥは、ｅＮＢが送信したＵＥコンテキスト再開要求メッセージを受信する。
【０１６８】
Ｓ１２において、ＭＭＥは、ＵＥコンテキスト再開要求メッセージに対応するＵＥコンテキストを再開する。
【０１６９】
Ｓ１３において、ＵＥコンテキスト再開手順が失敗したという状況下で、ＭＭＥは、ＵＥコンテキスト再開手順の失敗をｅＮＢに通知する。
【０１７０】
これに代えて、記憶媒体は、さらに、以下のステップを実行するためのプログラムコードを格納するように構成してもよい。
【０１７１】
Ｓ２１において、ｅＮＢは、ｅＮＢに対応するＭＭＥにＵＥコンテキスト再開要求メッセージを送信し、ＵＥコンテキスト再開要求メッセージは、ＵＥコンテキスト再開要求メッセージに対応するＵＥコンテキストを再開することをＭＭＥに指示するために使用される。
【０１７２】
Ｓ２２において、ｅＮＢは、ＭＭＥが送信した通知を取得し、この通知は、ＵＥコンテキスト再開手順の失敗を指示するために使用される。
【０１７３】
Ｓ２３において、ｅＮＢは、通知の指示に基づき、ＵＥコンテキスト再開手順が失敗したと判定する。
【０１７４】
これに代えて、この実施形態では、記憶媒体は、以下に限定されるものではないが、プログラムコードを格納できる様々な媒体、例えば、ＵＳＢフラッシュディスク、リードオンリーメモリ（ＲＯＭ）、ランダムアクセスメモリ（ＲＡＭ）、モバイルハードディスクドライブ、磁気ディスク、光ディスク等を含むことができる。
【０１７５】
結論として、先行技術と比較して、上述した本開示の実施形態のいずれか１つは、コアネットワークに異常が発生した場合にも、再開手順における処理フローを完遂できる。また、ここに提案する再開手順は、Ｓ１インタフェース上のシグナリングを節約し、送信リソースの無駄を回避でき、異常時のリソースの解放を早めることができる。
【０１７６】
本開示の各モジュール又はステップは、一般的なコンピューティングデバイスによって実現でき、これらは、単一のコンピューティングデバイスに集中化してもよく、複数のコンピューティングデバイスで構成されるネットワーク上に分散させてもよいことは、当業者にとって明らかである。オプションとして、モジュール又はステップは、コンピューティングデバイスに対して実行可能なプログラムコードによって実現してもよく、これらのプログラムコードは、記憶デバイスに格納され、コンピューティングデバイスによって実行できる。更に、特定の状況下では、実施形態に示し又は記述したステップは、ここに説明したものとは異なる順序で実行してもよく、それぞれの集積回路モジュール又は複数のモジュールにそれぞれ組み込まれた後に実行してもよく、これらのステップは、単一の集積回路モジュールに組み込んで実現してもよい。したがって、本開示では、特定のハードウェア及びソフトウェアの組合せに制限はない。
【０１７７】
本開示の上記の実施形態は、本開示を限定するものではない。本開示を様々に修正及び変更できることは、当業者にとって明らかである。本開示の思想及び原理の範囲内でなされる何らかの修正、同等の置換、改善等は、本開示の保護の範囲に含まれる。
【産業上の利用可能性】
【０１７８】
本開示の実施形態によれば、ｅＮＢから送信されたＵＥコンテキスト再開要求メッセージをＭＭＥが受信するモードを採用することによって、ＵＥコンテキスト再開要求メッセージに対応するＵＥコンテキストを再開し、ＵＥコンテキスト再開手順が失敗したという状況下では、ＵＥコンテキスト再開手順の失敗をｅＮＢに通知できる。ｅＮＢの指示に基づいてＵＥコンテキストを再開することに失敗すると、ＭＭＥは、ＵＥコンテキスト再開失敗メッセージをｅＮＢに直接通知でき、これにより、ｅＮＢがＵＥコンテキスト再開手順の失敗を知ることができないという問題を解決でき、ｅＮＢがＵＥコンテキスト再開手順の失敗を知ることができるという効果を達成できる。更に、ｅＮＢは、ＵＥコンテキスト再開手順の失敗の通知に基づいて、ＵＥのＲＲＣ接続再開要求を直接処理でき、これにより、ＲＲＣ接続再開手順の処理時間が短縮され、ＲＲＣ接続再開手順の処理効率が改善される。
【図１】
2019508958.tif 000003
【図２】
2019508958.tif 000004
【図３】
2019508958.tif 000005
【図４】
2019508958.tif 000006
【図５】
2019508958.tif 000007
【図６】
2019508958.tif 000008
【図７】
2019508958.tif 000009
【図８】
2019508958.tif 000010
【図９】
2019508958.tif 000011
【図１０】
2019508958.tif 000012
【図１１】
2019508958.tif 000013
【図１２】
2019508958.tif 000014
【図１３】
2019508958.tif 000015
【図１４】
2019508958.tif 000016
【図１５】
2019508958.tif 000017
【図１６】
2019508958.tif 000018
【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）コンテキスト再開方法であって、
移動管理エンティティ（ＭＭＥ）によって、基地局からＵＥコンテキスト再開要求メッセージを受信することと、
前記ＭＭＥによって、前記ＵＥコンテキスト再開要求メッセージに対応するＵＥコンテキストを再開することと、
前記ＭＭＥによって、ＵＥコンテキスト再開応答メッセージを前記基地局に送信することであって、前記ＵＥコンテキスト再開応答メッセージは、前記ＵＥコンテキスト再開要求メッセージに対応するＵＥのＥ−ＵＴＲＡＮ無線アクセスベアラ（Ｅ−ＲＡＢ）再開の失敗を示す情報要素を含み、前記情報要素は、Ｅ−ＲＡＢ  ＩＤ及び前記Ｅ−ＲＡＢに対する失敗原因値を含む方法。
【請求項２】
請求項１に記載の方法において、
前記ＵＥコンテキストの再開において発生したエラーを前記基地局に通知するために、前記ＭＭＥによって、エラー指示メッセージを前記基地局に送信することを更に含む方法。
【請求項３】
請求項１に記載の方法において、
前記失敗原因値は、未知のＵＥコンテキスト、ＵＥリソース再開失敗、又はＭＭＥ処理異常を含む方法。
【請求項４】
請求項１に記載の方法において、
前記基地局と前記ＭＭＥとの間のＳ１インタフェースのリソースを解放することを指示するために、前記ＵＥコンテキスト再開メッセージを前記基地局に送信した後、前記ＭＭＥによって、ＵＥコンテキスト解放命令メッセージを前記基地局に送信することを更に含む方法。
【請求項５】
請求項４に記載の方法において、
前記ＵＥコンテキスト解放命令メッセージを前記基地局に送信する前に、前記ＭＭＥによって、前記基地局からＵＥコンテキスト解放要求メッセージを受信することを更に含む方法。
【請求項６】
ユーザ機器（ＵＥ）コンテキスト再開方法であって、
ＵＥコンテキスト再開要求メッセージによって指示されたＵＥコンテキストを再開するために、基地局によって、前記基地局に対応する移動管理エンティティ（ＭＭＥ）に前記ＵＥコンテキスト再開要求メッセージを送信することと、
前記基地局によって、前記ＭＭＥが送信したＵＥコンテキスト再開応答メッセージを受信することであって、前記ＵＥコンテキスト再開応答メッセージは、前記ＵＥコンテキスト再開要求メッセージに対応するＥ−ＵＴＲＡＮ無線アクセスベアラ（Ｅ−ＲＡＢ）再開の失敗を示す情報要素を含み、前記情報要素は、Ｅ−ＲＡＢ  ＩＤ及び前記Ｅ−ＲＡＢに対する失敗原因値を含む方法。
【請求項７】
請求項６に記載の方法において、
前記ＵＥコンテキストの再開において発生したエラーを前記基地局に通知するために、前記基地局によって、エラー指示メッセージを前記ＭＭＥから受信することを更に含む方法。
【請求項８】
請求項６に記載の方法において、
前記失敗原因値は、未知のＵＥコンテキスト、ＵＥリソース再開失敗、又はＭＭＥ処理異常を含む方法。
【請求項９】
請求項７に記載の方法において、
前記ＵＥコンテキスト再開応答メッセージに基づいて、前記ＵＥコンテキスト再開が失敗したと判定された後、前記基地局によって、ＵＥコンテキスト解放命令メッセージを前記ＭＭＥから受信することと、
前記基地局によって、前記ＵＥコンテキスト解放命令メッセージに基づいて、前記基地局と前記ＭＭＥとの間のＳ１インタフェースのリソースを解放することとを更に含む方法。
【請求項１０】
請求項９に記載の方法において、
前記ＵＥコンテキスト解放命令メッセージを前記ＭＭＥから受信する前に、前記基地局によって、ＵＥコンテキスト解放要求メッセージを前記ＭＭＥに送信することを更に含む方法。
【請求項１１】
ユーザ機器（ＵＥ）コンテキスト再開方法であって、
移動管理エンティティ（ＭＭＥ）によって、基地局からＵＥコンテキスト再開要求メッセージを受信することと、
前記ＭＭＥによって、前記ＵＥコンテキスト再開要求メッセージに対応するＵＥコンテキストを再開することであって、前記ＵＥコンテキストは、１又は複数のＥ−ＵＴＲＡＮ無線アクセスベアラ（Ｅ−ＲＡＢ）に関連付けられることと、
再開失敗が発生した場合、前記ＭＭＥによって再開された全ての前記１又は複数のＥ−ＲＡＢが失敗したことを示すために、前記ＭＭＥによって、ＵＥコンテキスト再開失敗メッセージを前記基地局に送信することとを含む方法。
【請求項１２】
ユーザ機器（ＵＥ）コンテキスト再開方法であって、
ＵＥコンテキスト再開要求メッセージに対応するＵＥコンテキストを再開するために、基地局によって、移動管理エンティティ（ＭＭＥ）に前記ＵＥコンテキスト再開要求メッセージを送信することであって、前記ＵＥコンテキストは、１又は複数のＥ−ＵＴＲＡＮ無線アクセスベアラ（Ｅ−ＲＡＢ）に関連付けられることと、
前記ＭＭＥによって再開された全ての前記１又は複数のＥ−ＲＡＢが失敗したことを示すために、前記基地局によって、ＵＥコンテキスト再開失敗メッセージを前記ＭＭＥから受信することとを含む方法。
【請求項１３】
請求項１２に記載の方法において、
前記ＵＥコンテキスト再開失敗メッセージに基づいて、前記ＵＥコンテキストの再開が失敗したと判定する場合にエアインタフェースを解放するために、前記基地局によって、前記ＵＥコンテキスト再開要求メッセージによって示されたＵＥを通知することを更に含む方法。
【請求項１４】
請求項１２に記載の方法において、
前記ＵＥコンテキスト再開失敗メッセージに基づいて、前記ＵＥコンテキストの再開が失敗したと判定する場合にエアインタフェースを再構築するために、前記基地局によって、前記ＵＥコンテキスト再開要求メッセージによって示されたＵＥを通知することを更に含む方法。
【請求項１５】
請求項１２に記載の方法において、
前記ＵＥコンテキスト再開失敗メッセージに基づいて、前記ＵＥコンテキストの再開が失敗したと判定する場合に、前記基地局によって、Ｓ１インタフェースのリソースを解放することを更に含む方法。
【請求項１６】
移動管理エンティティ（ＭＭＥ）に含まれるユーザ機器（ＵＥ）コンテキストを再開するためのデバイスであって、
基地局からＵＥコンテキスト再開要求メッセージを受信するように構成された受信装置と、
前記ＵＥコンテキスト再開要求メッセージに対応する前記ＵＥコンテキストを再開するように構成された再開モジュールと、
ＵＥコンテキスト再開応答メッセージを前記基地局に送信するように構成された送信装置であって、前記ＵＥコンテキスト再開応答メッセージは、前記ＵＥコンテキスト再開要求メッセージに対応するＵＥのＥ−ＵＴＲＡＮ無線アクセスベアラ（Ｅ−ＲＡＢ）再開の失敗を示す情報要素を含み、前記情報要素は、Ｅ−ＲＡＢ  ＩＤ及び前記Ｅ−ＲＡＢに対する失敗原因値を含むデバイス。
【請求項１７】
請求項１６に記載のデバイスにおいて、
前記ＵＥコンテキストの再開においてエラーが発生したことを前記基地局に通知するために、前記送信装置は、エラー指示メッセージを前記基地局に送信するように構成されるデバイス。
【請求項１８】
請求項１６に記載のデバイスにおいて、
前記失敗原因値は、未知のＵＥコンテキスト、ＵＥリソース再開失敗、又はＭＭＥ処理異常を含むデバイス。
【請求項１９】
請求項１６に記載のデバイスにおいて、
前記基地局と前記ＭＭＥとの間のＳ１インタフェースのリソースの解放を示すために、前記送信装置は、ＵＥコンテキスト解放命令メッセージを前記基地局に送信するように構成されるデバイス。
【請求項２０】
請求項１９に記載のデバイスにおいて、
前記受信装置は、ＵＥコンテキスト解放要求メッセージを前記基地局から受信するように構成されるデバイス。
【請求項２１】
基地局に含まれるユーザ機器（ＵＥ）コンテキストを再開するためのデバイスであって、
ＵＥコンテキスト再開要求メッセージによって示されたＵＥコンテキストを再開するために、前記基地局に対応する移動管理エンティティ（ＭＭＥ）に前記ＵＥコンテキスト再開要求メッセージを送信するように構成された送信装置と、
前記ＭＭＥからＵＥコンテキスト再開応答メッセージを受信するように構成された受信装置であって、前記ＵＥコンテキスト再開応答メッセージは、前記ＵＥコンテキスト再開要求メッセージに対応するＵＥのＥ−ＵＴＲＡＮ無線アクセスベアラ（Ｅ−ＲＡＢ）再開の失敗を示す情報要素を含み、前記情報要素は、Ｅ−ＲＡＢ  ＩＤ及び前記Ｅ−ＲＡＢに対する失敗原因値を含むデバイス。
【請求項２２】
請求項２１に記載のデバイスにおいて、
前記受信装置は、前記ＵＥコンテキストの再開において発生したエラーを前記基地局に通知するために、エラー指示メッセージを前記ＭＭＥから受信するように構成されるデバイス。
【請求項２３】
請求項２１に記載のデバイスにおいて、
前記失敗原因値は、未知のＵＥコンテキスト、ＵＥリソース再開失敗、又はＭＭＥ処理異常を含むデバイス。
【請求項２４】
請求項２１に記載のデバイスにおいて、
前記ＵＥコンテキスト再開応答メッセージに基づいて、前記ＵＥコンテキスト再開が失敗したと判定した場合、前記受信装置は、ＵＥコンテキスト解放命令メッセージを前記ＭＭＥから受信するように構成されるデバイス。
【請求項２５】
請求項２４に記載のデバイスにおいて、
前記ＵＥコンテキスト解放命令メッセージの指示に基づいて、前記基地局と前記ＭＭＥとの間のＳ１インタフェースのリソースを解放するように構成された解放モジュールを更に備えるデバイス。
【請求項２６】
請求項２４に記載のデバイスにおいて、
前記送信装置は、前記ＭＭＥにＵＥコンテキスト解放要求メッセージを送信するように構成されるデバイス。
【請求項２７】
移動管理エンティティ（ＭＭＥ）に含まれるユーザ機器（ＵＥ）コンテキストを再開するためのデバイスであって、
基地局が送信したＵＥコンテキスト再開要求メッセージを受信するように構成された受信装置と、
前記ＵＥコンテキスト再開要求メッセージに対応するＵＥコンテキストを再開するように構成された再開モジュールであって、前記ＵＥコンテキストは、１又は複数のＥ−ＵＴＲＡＮ無線アクセスベアラ（Ｅ−ＲＡＢ）に関連付けられることと、
再開失敗が発生した場合、前記ＭＭＥによって再開された全ての前記１又は複数のＥ−ＲＡＢが失敗したことを示すために、ＵＥコンテキスト再開失敗メッセージを前記基地局に送信するように構成された送信装置とを含むデバイス。
【請求項２８】
基地局に含まれるユーザ機器（ＵＥ）コンテキストを再開するためのデバイスであって、
ＵＥコンテキスト再開要求メッセージに対応するＵＥコンテキストを再開するために、移動管理エンティティ（ＭＭＥ）に前記ＵＥコンテキスト再開要求メッセージを送信するように構成された送信装置であって、前記ＵＥコンテキストは、１又は複数のＥ−ＵＴＲＡＮ無線アクセスベアラ（Ｅ−ＲＡＢ）に関連付けられることと、
前記ＭＭＥによって再開された全ての前記１又は複数のＥ−ＲＡＢが失敗したことを示すために、ＵＥコンテキスト再開失敗メッセージを前記ＭＭＥから受信するように構成された受信装置とを含むデバイス。
【請求項２９】
請求項２８に記載のデバイスにおいて、
前記ＵＥコンテキスト再開失敗メッセージに基づいて、前記基地局によって、前記ＵＥコンテキストの再開が失敗したと判定する場合に、前記ＵＥコンテキスト再開要求メッセージに指示されたＵＥに、エアインタフェースを解放することを知らせるように構成された通知モジュールを更に備えるデバイス。
【請求項３０】
請求項２８に記載のデバイスにおいて、
前記ＵＥコンテキスト再開失敗メッセージに基づいて、前記基地局によって、前記ＵＥコンテキストの再開が失敗したと判定する場合に、前記ＵＥコンテキスト再開要求メッセージに指示されたＵＥに、エアインタフェースを再構築することを知らせるように構成された通知モジュールを更に備えるデバイス。
【国際調査報告】
2019508958.tif 000019
2019508958.tif 000020
2019508958.tif 000021
2019508958.tif 000022